(57)【特許請求の範囲】
【請求項１】
ＴＤＤにおけるサブフレームの用途変更を支援する無線通信システムにおいて端末がチャネル状態情報（ＣＳＩ）を報告する方法であって、
上りリンク−下りリンク設定のサブフレームを動的に変更するための用途変更メッセージを受信する段階と、
前記用途変更メッセージの受信に基づいて、ＣＳＩ参照リソース区間上で前記ＣＳＩを測定する段階と、
前記ＣＳＩを基地局に報告する段階と、を含み、
前記ＣＳＩ参照リソース区間は、第１ＣＳＩ測定リソース集合と第２ＣＳＩ測定リソース集合からなり、前記用途変更メッセージが送信されるタイムウィンドウの開始サブフレーム以後に存在するサブフレームのみが有効であるように定義され、有効なサブフレームの条件は下りリンクサブフレームであり、
前記第１ＣＳＩ測定リソース集合は、固定されたサブフレームの用途を有する複数の第１サブフレームを含み、
前記第２ＣＳＩ測定リソース集合は、再設定可能なサブフレームの用途を有する複数の第２サブフレームを含む、チャネル状態情報報告方法。
【請求項２】
前記第２ＣＳＩ測定リソース集合に対するＣＳＩ参照リソースが利用可能でないために前記第２ＣＳＩ測定リソース集合が有効ではない場合、前記ＣＳＩに含まれるチャネル状態に関連する少なくとも１つの情報は、フォールバックモードを指示するために所定の値に設定される、請求項１に記載のチャネル状態情報報告方法。
【請求項３】
前記ＣＳＩは、前記フォールバックモードのための所定の上りリンクリソースを通じて報告される、請求項２に記載のチャネル状態情報報告方法。
【請求項４】
前記タイムウィンドウは、同一の用途変更メッセージが送信される周期によって定義される、請求項１に記載のチャネル状態情報報告方法。
【請求項５】
前記ＣＳＩ参照リソース区間は、前記ＣＳＩを報告するためのサブフレームから４ｍｓ以前に存在するサブフレームのみが有効であるように定義される、請求項１に記載のチャネル状態情報報告方法。
【請求項６】
前記ＣＳＩの報告は、非周期的ＣＳＩの報告であり、
前記ＣＳＩ参照リソース区間は、前記ＣＳＩを報告するためのトリガーメッセージが受信される時点以前に存在する下りリンクサブフレームのみが有効であるように定義される、請求項１に記載のチャネル状態情報報告方法。
【請求項７】
ＴＤＤにおけるサブフレームの用途変更を支援する無線通信システムにおいてチャネル状態情報（ＣＳＩ）を報告する端末であって、
無線周波数ユニットと、
プロセッサと、を含み、
前記プロセッサは、上りリンク−下りリンク設定のサブフレームを動的に変更するための用途変更メッセージを受信し、前記用途変更メッセージの受信に基づいて、ＣＳＩ参照リソース区間上で前記ＣＳＩを測定し、前記ＣＳＩを基地局に報告するように構成され、
前記ＣＳＩ参照リソース区間は、第１ＣＳＩ測定リソース集合と第２ＣＳＩ測定リソース集合からなり、前記用途変更メッセージが送信されるタイムウィンドウの開始サブフレーム以後に存在するサブフレームのみが有効であるように定義され、有効なサブフレームの条件は下りリンクサブフレームであり、
前記第１ＣＳＩ測定リソース集合は、固定されたサブフレームの用途を有する複数の第１サブフレームを含み、
前記第２ＣＳＩ測定リソース集合は、再設定可能なサブフレームの用途を有する複数の第２サブフレームを含む、端末。
【発明の詳細な説明】
【技術分野】
【０００１】
本発明は無線通信システムに関するもので、より詳しくは無線リソースの用途変更を支援する無線通信システムにおけるチャネル状態情報報告方法及びそのための装置に関するものである。
【背景技術】
【０００２】
本発明が適用できる無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に下り又は上り送信サービスを提供する。互いに異なるセルは、互いに異なる帯域幅を提供するように設定することができる。基地局は、複数の端末に対するデータ送受信を制御する。下りリンク（Ｄｏｗｎｌｉｎｋ；ＤＬ）データについて、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥまで開発されているが、ユーザと事業者の要求と期待は増す一方である。その上、他の無線接続技術の開発が続いており、将来、競争力を有するためには新たな技術進化が要求される。ビット当たりのコストの削減、サービス可用性の増大、流動周波数バンドの使用、単純構造と開放型インターフェース、端末の適度な電力消耗などが要求される。
【０００７】
端末は基地局の無線通信システムの効率的な運用を補助するために、現在チャネルの状態情報を基地局に周期的及び／又は非周期的に報告する。このように報告されるチャネルの状態情報は多様な状況を考慮して計算された結果を含むことができるため、より効率的な報告方法が要求されている実情である。
【発明の概要】
【発明が解決しようとする課題】
【０００８】
前述したような論議に基づき、以下では無線リソースの用途変更を支援する無線通信システムにおけるチャネル状態情報報告方法及びそのための装置を提案しようとする。
【０００９】
本発明が成そうとする技術的課題は前記技術的課題に制限されなく、言及しなかった他の技術的課題は下記の記載から本発明が属する当該技術分野の当業者に明らかに理解可能であろう。
【課題を解決するための手段】
【００１０】
前述した問題点を解決するための本発明の一態様である、無線リソースの用途変更を支援する無線通信システムにおける端末のチャネル状態情報を報告する方法は、無線リソース用途の動的変更のための用途変更メッセージを受信する段階、前記用途変更メッセージに対応するチャネル状態情報（Ｃｈａｎｎｅｌ Ｓｔａｔｕｓ Ｉｎｆｏｒｍａｔｉｏｎ、ＣＳＩ）参照リソース区間上でチャネル状態情報を測定する段階、及び前記チャネル状態情報を基地局に報告する段階を含み、前記ＣＳＩ参照リソース区間は、第１ＣＳＩ測定リソース集合と第２ＣＳＩ測定リソース集合からなり、前記第１ＣＳＩ測定リソース集合は、無線リソースの用途が固定された多数の第１無線リソースからなり、前記第２ＣＳＩ測定リソース集合は、無線リソースの用途が再設定可能になるように構成された多数の第２無線リソースからなることを特徴とする。
【００１１】
また、前記チャネル状態情報は、前記第２ＣＳＩ測定リソース集合が有効でない場合、フォールバック（ｆａｌｌｂａｃｋ）モードを指示するために前もって定義された値に設定されることができる。さらに、前記チャネル状態情報はフォールバック（ｆａｌｌｂａｃｋ）モードのために既に定義された上りリンクリソースを通じて報告されることができる。
【００１２】
また、前記チャネル状態情報は、前記第２ＣＳＩ測定リソース集合が有効でない場合、前記チャネル状態情報参照区間以前に報告された、前記第１ＣＳＩ測定リソース集合と前記第２ＣＳＩ測定リソース集合が共に有効なチャネル状態情報に設定されることができる。
【００１３】
また、前記ＣＳＩ参照リソース区間は、前記用途変更メッセージが送信されるサブフレーム以後の無線リソースのみが有効であるように定義されることができる。
【００１４】
また、前記ＣＳＩ参照リソース区間は、前記用途変更メッセージが送信されるタイムウィンドウ（Ｔｉｍｅ Ｗｉｎｄｏｗ）の開始サブフレーム以後に存在する無線リソースのみが有効であるように定義されることができる。さらに、前記タイムウィンドウは、前記用途変更メッセージが同一に送信されるように設定された周期によって定義されることができる。
【００１５】
また、前記ＣＳＩ参照リソース区間は、前記チャネル状態情報報告のためのサブフレームの４ｍｓ以前に存在する無線リソースのみが有効であるように定義されることができる。
【００１６】
また、前記チャネル状態情報報告は、非周期的（ａｐｅｒｉｏｄｉｃ）チャネル状態情報報告であり、前記ＣＳＩ参照リソース区間は、前記チャネル状態情報報告のためのトリガーメッセージが受信される時点以前に存在する無線リソースのみが有効であるように定義されることができる。
【００１７】
さらに、前述した問題点を解決するための本発明の他の態様である、無線リソースの用途変更を支援する無線通信システムにおけるチャネル状態情報を報告する端末は、無線周波数ユニット（Ｒａｄｉｏ Ｆｒｅｑｕｅｎｃｙ Ｕｎｉｔ）、及びプロセッサ（ｐｒｏｃｅｓｓｏｒ）を含み、前記プロセッサは、無線リソース用途の動的変更のための用途変更メッセージを受信し、前記用途変更メッセージに対応するチャネル状態情報（Ｃｈａｎｎｅｌ Ｓｔａｔｕｓ Ｉｎｆｏｒｍａｔｉｏｎ、ＣＳＩ）参照リソース区間上でチャネル状態情報を測定し、前記チャネル状態情報を基地局に報告するように構成され、前記ＣＳＩ参照リソース区間は、第１ＣＳＩ測定リソース集合と第２ＣＳＩ測定リソース集合からなり、前記第１ＣＳＩ測定リソース集合は、無線リソースの用途が固定された多数の第１無線リソースからなり、前記第２ＣＳＩ測定リソース集合は、無線リソースの用途が再設定可能になるように構成された多数の第２無線リソースからなることを特徴とする。
【発明の効果】
【００１８】
本発明の実施例によれば、無線リソースの用途変更を支援する無線通信システムにおけるチャネル状態情報報告を効率的に行うことができる。
【００１９】
本発明で得られる効果は以上に言及した効果に制限されなく、言及しなかった他の効果は下記の記載から本発明が属する当該技術分野の当業者に明確に理解可能であろう。
【図面の簡単な説明】
【００２０】
本発明に関する理解を助けるために詳細な説明の一部として含まれる、添付図面は本発明の実施例を提供し、詳細な説明とともに本発明の技術的思想を説明する。
【００２１】
【図１】無線通信システムの一例としてＥ−ＵＭＴＳネットワーク構造を概略的に例示する。
【図２】３ＧＰＰ無線接続ネットワーク規格に基づく端末とＥ−ＵＴＲＡＮ間の無線インターフェースプロトコル（Ｒａｄｉｏ Ｉｎｔｅｒｆａｃｅ Ｐｒｏｔｏｃｏｌ）のコントロールプレーン（Ｃｏｎｔｒｏｌ Ｐｌａｎｅ）及びユーザプレーン（Ｕｓｅｒ Ｐｌａｎｅ）構造を例示する。
【図３】３ＧＰＰシステムに用いられる物理チャネル及びこれらを用いた一般的な信号送信方法を例示する。
【図４】ＬＴＥシステムに使われる無線フレームの構造を例示する。
【図５】下りリンクスロットに対するリソースグリッド（ｒｅｓｏｕｒｃｅ ｇｒｉｄ）を例示する。
【図６】下りリンクサブフレームの構造を例示する。
【図７】ＥＰＤＣＣＨとＥＰＤＣＣＨによってスケジューリングされるＰＤＳＣＨを例示する図である。
【図８】ＴＤＤシステムの環境下で既存（Ｌｅｇａｃｙ）サブフレームを静的サブフレーム集合と流動サブフレーム集合に分割した場合を示す。
【図９Ａ】既存（ｌｅｇａｃｙ）無線通信システム上で端末の用途変更メッセージ受信失敗によるＣＳＩ報告及びＣＳＩ参照リソースの位置に関する曖昧さを説明するための参照図である。
【図９Ｂ】既存（ｌｅｇａｃｙ）無線通信システム上で端末の用途変更メッセージ受信失敗によるＣＳＩ報告及びＣＳＩ参照リソースの位置に関する曖昧さを説明するための参照図である。
【図９Ｃ】既存（ｌｅｇａｃｙ）無線通信システム上で端末の用途変更メッセージ受信失敗によるＣＳＩ報告及びＣＳＩ参照リソースの位置に関する曖昧さを説明するための参照図である。
【図９Ｄ】既存（ｌｅｇａｃｙ）無線通信システム上で端末の用途変更メッセージ受信失敗によるＣＳＩ報告及びＣＳＩ参照リソースの位置に関する曖昧さを説明するための参照図である。
【図１０】特定の端末（ｅＩＭＴＡ ＵＥ）のＣＳＩ報告時点及び／又は該当のＣＳＩ報告と連動した有効な（Ｖａｌｉｄ）参照リソース（例えば、ＣＳＩ Ｒｅｆｅｒｅｎｃｅ Ｒｅｓｏｕｒｃｅ）時点／位置が曖昧な場合を説明するための参照図である。
【図１１】本発明の一実施例を説明するための参照図である。
【図１２】本発明の一実施例に適用可能な基地局及び端末を示す。
【発明を実施するための形態】
【００２２】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒviｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ ＬＴＥの進化したバージョンである。
【００２３】
説明を明確にするために、３ＧＰＰ ＬＴＥ／ＬＴＥ−Ａを中心に記述するが、本発明の技術的思想がこれに制限されるわけではない。また、以下の説明で使われる特定の用語は、本発明の理解を助けるために提供されるものであり、このような特定の用語の使用は、本発明の技術的思想から逸脱しない範囲で他の形態に変更することもできる。
【００２４】
図２は、３ＧＰＰ無線接続ネットワーク規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。コントロールプレーンは、端末（Ｕｓｅｒ  Ｅｑｕｉｐｍｅｎｔ；ＵＥ）とネットワークが呼を管理するために用いる制御メッセージが送信される通路を意味する。ユーザプレーンは、アプリケーション層で生成されたデータ、例えば、音声データ又はインターネットパケットデータなどが送信される通路を意味する。
【００２５】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒviｃｅ）を提供する。物理層は上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。この伝送チャネルを介して媒体接続制御層と物理層間にデータが移動する。送信側の物理層と受信側の物理層間は、物理チャネルを介してデータが移動する。この物理チャネルは、時間と周波数を無線リソースとして用いる。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２６】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性あるデータ送信を支援する。ＲＬＣ層の機能は、ＭＡＣ内部の機能ブロックとして具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に送信するために不要の制御情報を減らすヘッダー圧縮（Ｈｅａｄｅｒ  Ｃｏｍｐｒｅｓｓｉｏｎ）機能を果たす。
【００２７】
第３層の最下部に位置している無線リソース制御（Ｒａｄｉｏ  Ｒｅｓｏｕｒｃｅ  Ｃｏｎｔｒｏｌ；ＲＲＣ）層は、コントロールプレーンでのみ定義される。ＲＲＣ層は、無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワーク間のデータ伝達のために第２層によって提供されるサービスを意味する。そのために、端末とネットワークのＲＲＣ層は互いにＲＲＣメッセージを交換する。端末とネットワークのＲＲＣ層間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうでない場合、ＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２８】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは異なった帯域幅を提供するように設定することができる。
【００２９】
ネットワークから端末にデータを送信する下り伝送チャネルは、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されてもよく、又は別の下りＭＣＨ（Ｍｕｌｔｉｃａｓｔ  Ｃｈａｎｎｅｌ）を介して送信されてもよい。一方、端末からネットワークにデータを送信する上り伝送チャネルには、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に位置しており、伝送チャネルにマップされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３０】
図３は、３ＧＰＰ ＬＴＥシステムに用いられる物理チャネル及びそれらを用いた一般的な信号送信方法を説明するための図である。
【００３１】
電源が消えた状態で電源がついたり、新しくセルに進入したりしたユーザ機器は、段階Ｓ３０１で、基地局と同期を取るなどの初期セル探索（Ｉｎｉｔｉａｌ  ｃｅｌｌ  ｓｅａｒｃｈ）作業を行う。そのために、ユーザ機器は基地局から１次同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信してセル内放送情報を取得することができる。一方、ユーザ機器は、初期セル探索段階で下りリンク参照信号（Ｄｏｗｎｌｉｎｋ  Ｒｅｆｅｒｅｎｃｅ  Ｓｉｇｎａｌ、ＤＬ ＲＳ）を受信して下りリンクチャネル状態を確認することができる。
【００３２】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信し、より具体的なシステム情報を取得することができる。
【００３３】
その後、ユーザ機器は、基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うことができる。そのために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ３０３）、物理下りリンク制御チャネル及びこれに対応する物理下りリンク共有チャネルを介して、プリアンブルに対する応答メッセージを受信することができる（Ｓ３０４）。競合ベースランダムアクセスの場合、更なる物理ランダムアクセスチャネルの送信（Ｓ３０５）、及び物理下りリンク制御チャネル及びこれに対応する物理下りリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００３４】
上述したような手順を行ったユーザ機器は、その後、一般的な上りリンク／下りリンク信号送信手順として、物理下りリンク制御チャネル／物理下りリンク共有チャネルの受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ、ＵＣＩ）という。ＵＣＩは、ＨＡＲＱ ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書で、ＨＡＲＱ ＡＣＫ／ＮＡＣＫは簡単に、ＨＡＲＱ−ＡＣＫあるいはＡＣＫ／ＮＡＣＫ（Ａ／Ｎ）と呼ぶ。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうち少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ Ｉｎｄｉｃａｔｉｏｎ）などを含む。ＵＣＩは、一般にはＰＵＣＣＨを介して送信されるが、制御情報とトラフィックデータとが同時に送信されるべき場合にはＰＵＳＣＨを介して送信されてもよい。また、ネットワークの要求／指示に応じて、ＰＵＳＣＨを介してＵＣＩを非周期的に送信することもできる。
【００３５】
図４は、ＬＴＥシステムで用いられる無線フレームの構造を例示する図である。
【００３６】
図４を参照すると、セルラーＯＦＤＭ無線パケット通信システムにおいて、上りリンク／下りリンクデータパケット送信はサブフレーム（ｓｕｂｆｒａｍｅ）単位になされ、１サブフレームは、複数のＯＦＤＭシンボルを含む一定時間区間と定義される。３ＧＰＰ ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造、及びＴＤＤ（Ｔｉｍｅ  Ｄｉｖｉｓｉｏｎ  Ｄｕｐｌｅｘ）に適用可能なタイプ２の無線フレーム構造を支援する。
【００３７】
図４の（ａ）は、タイプ１無線フレームの構造を例示する。下りリンク無線フレーム（ｒａｄｉｏ  ｆｒａｍｅ）は、１０個のサブフレーム（ｓｕｂｆｒａｍｅ）で構成され、１サブフレームは、時間領域（ｔｉｍｅ  ｄｏｍａｉｎ）で２個のスロット（ｓｌｏｔ）で構成される。１サブフレーム）を送信するためにかかる時間をＴＴＩ（ｔｒａｎｓｍｉｓｓｉｏｎ  ｔｉｍｅ  ｉｎｔｅｒｖａｌ）という。例えば、１サブフレームの長さを１ｍｓ、１スロットの長さを０．５ｍｓとすることができる。１スロットは時間領域で複数のＯＦＤＭシンボルを含み、周波数領域で複数のリソースブロック（Ｒｅｓｏｕｒｃｅ  Ｂｌｏｃｋ；ＲＢ）を含む。３ＧＰＰ ＬＴＥシステムでは下りリンクでＯＦＤＭＡが用いられるため、ＯＦＤＭシンボルが１シンボル区間を表す。ＯＦＤＭシンボルは、ＳＣ−ＦＤＭＡシンボル又はシンボル区間と呼ぶこともできる。リソース割当て単位としてのリソースブロック（ＲＢ）は、１スロットで複数個の連続した副搬送波（ｓｕｂｃａｒｒｉｅｒ）を含むことができる。
【００３８】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって可変することができる。ＣＰには、拡張されたＣＰ（ｅｘｔｅｎｄｅｄ  ＣＰ）と標準ＣＰ（ｎｏｒｍａｌ  ＣＰ）がある。例えば、ＯＦＤＭシンボルが標準ＣＰによって構成された場合、１スロットに含まれるＯＦＤＭシンボルの数は７個であってよい。ＯＦＤＭシンボルが拡張されたＣＰによって構成された場合、１ ＯＦＤＭシンボルの長さが増加することから、１スロットに含まれるＯＦＤＭシンボルの数は、標準ＣＰの場合に比べて少ない。拡張されたＣＰの場合、例えば、１スロットに含まれるＯＦＤＭシンボルの数は６個であってもよい。ユーザ機器が速い速度で移動するなどしてチャネル状態が不安定な場合、シンボル間干渉をより減らすために、拡張されたＣＰを用いることができる。
【００３９】
標準ＣＰが用いられる場合、１スロットは７ ＯＦＤＭシンボルを含むため、１サブフレームは１４ ＯＦＤＭシンボルを含む。このとき、各サブフレームの先頭における最大３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００４０】
図４の（ｂ）は、タイプ２無線フレームの構造を例示する。タイプ２無線フレームは、２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含むスペシャルサブフレーム（ｓｐｅｃｉａｌ ｓｕｂｆｒａｍｅ）とで構成される。
【００４１】
スペシャルサブフレームにおいて、ＤｗＰＴＳは、ユーザ機器における初期セル探索、同期化又はチャネル推定に用いられる。ＵｐＰＴＳは、基地局におけるチャネル推定とユーザ機器の上りリンク送信同期の取得に用いられる。すなわち、ＤｗＰＴＳは下りリンク送信に、ＵｐＰＴＳは上りリンク送信に用いられ、特に、ＵｐＰＴＳはＰＲＡＣＨプリアンブルやＳＲＳ送信のために用いられる。また、保護区間は、上りリンクと下りリンクの間に下りリンク信号の多重経路遅延によって上りリンクで生じる干渉を除去するための区間である。
【００４２】
上記のスペシャルサブフレームに関して現在３ＧＰＰ標準文書では下記の表１のように設定を定義している。
【００４３】
表１で、
【数１】
0006629745.tif 000002
の場合に、ＤｗＰＴＳとＵｐＰＴＳを示しており、残りの領域が保護区間に設定される。
【００４４】
【表１】
0006629745.tif 000003
【００４５】
一方、タイプ２無線フレームの構造、すなわち、ＴＤＤシステムにおいて上りリンク／下りリンクサブフレーム設定（ＵＬ／ＤＬ ｃｏｎｆｉｇｕｒａｔｉｏｎ）は、下記の表２のとおりである。
【００４６】
【表２】
0006629745.tif 000004
【００４７】
上記の表２で、Ｄは下りリンクサブフレーム、Ｕは上りリンクサブフレームを表し、Ｓはスペシャルサブフレームを意味する。また、上記の表２では、それぞれの上りリンク／下りリンクサブフレーム設定において下りリンク−上りリンクスイッチング周期も表している。
【００４８】
上述した無線フレームの構造は例示に過ぎず、無線フレームに含まれるサブフレームの数、サブフレームに含まれるスロットの数、又はスロットに含まれるシンボルの数は様々に変更されてもよい。
【００４９】
図５は、下りリンクスロットのリソースグリッド（ｒｅｓｏｕｒｃｅ ｇｒｉｄ）を例示する。
【００５０】
【数２】
0006629745.tif 000005
図５は、下りリンクスロットが７ ＯＦＤＭシンボルを含み、リソースブロックが１２副搬送波を含むと例示しているが、必ずしもこれに制限されない。例えば、下りリンクスロットに含まれるＯＦＤＭシンボルの個数はサイクリックプレフィックス（Ｃｙｃｌｉｃ  Ｐｒｅｆｉｘ；ＣＰ）の長さによって変形されてもよい。
【００５１】
リソースグリッド上の各要素をリソース要素（Ｒｅｓｏｕｒｃｅ  Ｅｌｅｍｅｎｔ；ＲＥ）といい、１つのリソース要素は、１つのＯＦＤＭシンボルインデックス及び１つの副搬送波インデックスで示される。
【数３】
0006629745.tif 000006
【００５２】
図６は、下りリンクサブフレームの構造を例示する。
【００５３】
図６を参照すると、サブフレームの第１スロットにおいて先頭における最大３（４）個のＯＦＤＭシンボルは、制御チャネルが割り当てられる制御領域に対応する。残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に該当する。ＬＴＥで用いられる下りリンク制御チャネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレーム内で制御チャネルの送信に用いられるＯＦＤＭシンボルの個数に関する情報を運ぶ。ＰＨＩＣＨは、上りリンク送信に対する応答としてＨＡＲＱ ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００５４】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と称する。ＤＣＩは、ユーザ機器又はユーザ機器グループのためのリソース割当て情報及び他の制御情報を含む。例えば、ＤＣＩは、上りリンク／下りリンクスケジューリング情報、上りリンク送信（Ｔｘ）電力制御命令などを含む。
【００５５】
ＰＤＣＣＨは、下りリンク共有チャネル（ｄｏｗｎｌｉｎｋ  ｓｈａｒｅｄ  ｃｈａｎｎｅｌ、ＤＬ−ＳＣＨ）の送信フォーマット及びリソース割当て情報、上りリンク共有チャネル（ｕｐｌｉｎｋ  ｓｈａｒｅｄ  ｃｈａｎｎｅｌ、ＵＬ−ＳＣＨ）の送信フォーマット及びリソース割当て情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答のような上位層制御メッセージのリソース割当て情報、ユーザ機器グループ内の個別ユーザ機器に対する送信電力制御命令セット、送信電力制御命令、ＶｏＩＰ（Ｖｏｉｃｅ  ｏｖｅｒ  ＩＰ）の活性化指示情報などを運ぶ。複数のＰＤＣＣＨが制御領域内で送信されてもよく、ユーザ機器は、複数のＰＤＣＣＨをモニタすることができる。ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で送信される。ＣＣＥは、ＰＤＣＣＨに無線チャネル状態に基づくコーディングレートを提供するために用いられる論理的割当てユニットである。ＣＣＥは、複数のリソース要素グループ（ｒｅｓｏｕｒｃｅ  ｅｌｅｍｅｎｔ  ｇｒｏｕｐ、ＲＥＧ）に対応する。ＰＤＣＣＨのフォーマット及びＰＤＣＣＨビットの個数はＣＣＥの個数によって決定される。基地局は、ユーザ機器に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣは、ＰＤＣＣＨの所有者又は使用目的によって識別子（例えば、ＲＮＴＩ（ｒａｄｉｏ  ｎｅｔｗｏｒｋ  ｔｅｍｐｏｒａｒｙ  ｉｄｅｎｔｉｆｉｅｒ））でマスクする。例えば、ＰＤＣＣＨが特定のユーザ機器のためのものであれば、該当のユーザ機器の識別子（例えば、ｃｅｌｌ−ＲＮＴＩ（Ｃ−ＲＮＴＩ））をＣＲＣにマスクすることができる。ＰＤＣＣＨがページングメッセージのためのものであれば、ページング識別子（例えば、ｐａｇｉｎｇ−ＲＮＴＩ（Ｐ−ＲＮＴＩ））をＣＲＣにマスクすることができる。ＰＤＣＣＨがシステム情報（より具体的に、システム情報ブロック（ｓｙｓｔｅｍ  Ｉｎｆｏｒｍａｔｉｏｎ  ｂｌｏｃｋ、ＳＩＢ））のためのものであれば、ＳＩ−ＲＮＴＩ（ｓｙｓｔｅｍ  Ｉｎｆｏｒｍａｔｉｏｎ  ＲＮＴＩ）をＣＲＣにマスクすることができる。ＰＤＣＣＨがランダムアクセス応答のためのものであれば、ＲＡ−ＲＮＴＩ（ｒａｎｄｏｍ  ａｃｃｅｓｓ−ＲＮＴＩ）をＣＲＣにマスクすることができる。
【００５６】
図７はＥＰＤＣＣＨとＥＰＤＣＣＨによってスケジューリングされるＰＤＳＣＨを例示する図である。
【００５７】
図７を参照すれば、ＥＰＤＣＣＨは一般的にデータを送信するＰＤＳＣＨ領域の一部を定義して使うことができ、端末は自分のＥＰＤＣＣＨ有無を検出するためのブラインドデコーディング（ｂｌｉｎｄｄｅ ｃｏｄｉｎｇ）過程を行わなければならない。ＥＰＤＣＣＨは既存のレガシーＰＤＣＣＨと同様なスケジューリング動作（つまり、ＰＤＳＣＨ、ＰＵＳＣＨ制御）を行うが、ＲＲＨのようなノードに接続した端末の個数が増加すれば、ＰＤＳＣＨ領域内により多い数のＥＰＤＣＣＨが割り当てられて、端末が行わなければならないブラインドデコーディングの回数が増加して複雑度が高くなることができる欠点は存在することができる。
【００５８】
以下、リソース特定の測定技法について説明する。
【００５９】
セル間の干渉を減少させるための一方法として、干渉セルが一部物理チャネルの送信電力を減らすかチャネルそのものを送信しない沈黙サブフレーム（以下、ＡＢＳ（ａｌｍｏｓｔ ｂｌａｎｋ ｓｕｂｆｒａｍｅ）という）を使い、被干渉セルがこれを考慮してＵＥをスケジュールする時間ドメインにおけるセル間の干渉緩和技法が提案された。ここで、ＡＢＳに指定されたサブフレームではＣＲＳのみ送信することができるように設定することが一般的である。
【００６０】
この場合、被干渉セルのＵＥの立場では干渉程度がサブフレームによって大きく変化するが、各サブフレームにおけるより正確なＲＬＭ（ｒａｄｉｏ ｌｉｎｋ ｍｏｎｉｔｏｒｉｎｇ）動作又はＲＳＲＰ（Ｒｅｆｅｒｅｎｃｅ Ｓｉｇｎａｌ Ｒｅｃｅｉｖｅｄ Ｐｏｗｅｒ）／ＲＳＲＱ（Ｒｅｆｅｒｅｎｃｅ Ｓｉｇｎａｌ Ｒｅｃｅｉｖｅｄ Ｑｕａｌｉｔｙ）などを測定するＲＲＭ（ｒａｄｉｏ ｒｅｓｏｕｒｃｅ ｍａｎａｇｅｍｅｎｔ）動作を行うか、ＣＳＩ（ｃｈａｎｎｅｌ ｓｔａｔｅ ｉｎｆｏｒｍａｔｉｏｎ）を測定するため、ＲＬＭ動作／ＲＲＭ動作が均一な干渉特性を有するサブフレームの集合で行われるように制限しなければならない。よって、現在３ＧＰＰ ＬＴＥ標準文書ではリソース特定の測定のために２個のＣＳＩサブフレームセットを定義している。
【００６１】
以下、送信モードについて例示する。
【００６２】
現在３ＧＰＰ ＬＴＥ標準文書、具体的に３ＧＰＰＴＳ３６．２１３文書では下表３及び表４とのように下りリンク送信モードに関して定義している。また、下記の送信モードは上位階層シグナリング、つまりＲＲＣシグナリングによって端末に設定される。
【００６３】
【表３】
0006629745.tif 000007
【００６４】
【表４】
0006629745.tif 000008
【００６５】
現在３ＧＰＰ ＬＴＥ標準文書には、ＰＤＣＣＨ／ＥＰＤＣＣＨをマスクされたＲＮＴＩの種類によるＤＣＩフォーマットが表されている。特に、Ｃ−ＲＮＴＩとＳＰＳ Ｃ−ＲＮＴＩの場合、送信モードとこれに対応するＤＣＩフォーマット、つまり送信モードに基づくＤＣＩフォーマットを示している。また、それぞれの送信モードに無関係に適用可能なＤＣＩフォーマット１Ａが定義されている。表３はＰＤＣＣＨをマスクされたＲＮＴＩの種類がＣ−ＲＮＴＩの場合を例示したものであり、表４はＥＰＤＣＣＨをマスクされたＲＮＴＩの種類がＣ−ＲＮＴＩの場合を例示したものである。さらに、ＰＤＣＣＨ／ＥＰＣＣＨをマスクされたＲＮＴＩの種類がＳＰＳ Ｃ−ＲＮＴＩの場合はＬＴＥ／ＬＴＥ−Ａ標準文書である３６．２１３でより具体的な事項を参照することができる。
【００６６】
例えば、表３で、Ｃ−ＲＮＴＩにマスクされたＰＤＣＣＨを端末特定の検索領域でブラインドデコードした結果、ＤＣＩフォーマット１Ｂが検出されれば、単一レイヤーを用いた閉ループ空間多重化技法でＰＤＳＣＨが送信されたと仮定してＰＤＳＣＨをデコードする。
【００６７】
以下では、チャネル状態情報について説明する。
【００６８】
ＭＩＭＯ方式は開ループ（ｏｐｅｎ−ｌｏｏｐ）方式と閉ループ（ｃｌｏｓｅｄ−ｌｏｏｐ）方式に区分することができる。開ループＭＩＭＯ方式はＭＩＭＯ受信端からのチャネル状態情報のフィードバックなしに送信端でＭＩＭＯ送信を行うことを意味する。閉ループＭＩＭＯ方式はＭＩＭＯ受信端からのチャネル状態情報をフィードバックされて送信端でＭＩＭＯ送信を行うことを意味する。閉ループＭＩＭＯ方式においては、ＭＩＭＯ送信アンテナの多重化利得（ｍｕｌｔｉｐｌｅｘｉｎｇ ｇａｉｎ）を得るために送信端と受信端のそれぞれがチャネル状態情報に基づいてビームフォーミングを行うことができる。受信端（例えば、端末、又はバックホール下りリンク受信主体としての中継器）がチャネル状態情報をフィードバックすることができるように送信端（例えば、基地局、又はアクセス下りリンク送信主体としての中継器）は受信端に上りリンク制御チャネル又は上りリンク共有チャネルを割り当てることができる。
【００６９】
フィードバックされるチャネル状態情報（ＣＳＩ）はランク指示子（ＲＩ）、プレコーディング行列インデックス（ＰＭＩ）及びチャネル品質指示子（ＣＱＩ）を含むことができる。
【００７０】
ＲＩはチャネルランクについての情報である。チャネルランクは同一の時間−周波数リソースを通じて互いに異なる情報を送信することができるレイヤー（又はストリーム）の最大個数を意味する。ランク値はチャネルの長期間（ｌｏｎｇ ｔｅｒｍ）フェーディングによって主に決定されるので、ＰＭＩ及びＣＱＩに比べて一般的にもっと長い周期で（つまり、相対的にまれに）フィードバックされることができる。
【００７１】
ＰＭＩは送信端からの送信に用いられるプレコーディング行列についての情報であり、チャネル空間特性を反映する値である。プレコーディングとは送信レイヤーを送信アンテナにマッピングさせることを意味し、プレコーディング行列によってレイヤー−アンテナマッピング関係が決定されることができる。ＰＭＩは信号対干渉雑音比（Ｓｉｇｎａｌ−ｔｏ−Ｉｎｔｅｒｆｅｒｅｎｃｅ ｐｌｕｓ Ｎｏｉｓｅ Ｒａｔｉｏ；ＳＩＮＲ）などの測定値（ｍｅｔｒｉｃ）を基準に受信端（例えば、端末又は中継器）が好む（ｐｒｅｆｅｒｒｅｄ）基地局のプレコーディング行列インデックスにあたる。プレコーディング情報のフィードバックオーバーヘッドを減らすため、送信端と受信端が様々なプレコーディング行列を含むコードブックを予め共有しており、該当のコードブックで特定のプレコーディング行列を指示するインデックスのみをフィードバックする方式を使うことができる。
【００７２】
ＣＱＩはチャネル品質又はチャネル強度を示す情報である。ＣＱＩは予め決定されたＭＣＳ組合せとして表現することができる。すなわち、フィードバックされるＣＱＩインデックスは該当の変調技法（ｍｏｄｕｌａｔｉｏｎ ｓｃｈｅｍｅ）及びコードレート（ｃｏｄｅ ｒａｔｅ）を示す。一般に、ＣＱＩは基地局がＰＭＩを用いて空間チャネルを構成する場合に得ることができる受信ＳＩＮＲを反映する値となる。
【００７３】
拡張されたアンテナ構成を支援するシステム（例えば、ＬＴＥ−Ａシステム）においては多重使用者−ＭＩＭＯ（ＭＵ−ＭＩＭＯ）方式を用いて更なる多重使用者ダイバーシティを取得することを考慮している。ＭＵ−ＭＩＭＯ方式では、アンテナ領域（ｄｏｍａｉｎ）で多重化される端末間の干渉チャネルが存在するので、多重使用者のいずれか一つの端末がフィードバックするチャネル状態情報を基地局で用いて下りリンク送信を行う場合に他の端末に対して干渉が生じないようにすることが必要である。よって、ＭＵ−ＭＩＭＯ動作が正しく行われるためには単一使用者−ＭＩＭＯ（ＳＵ−ＭＩＭＯ）方式に比べて高い正確度のチャネル状態情報がフィードバックされなければならない。
【００７４】
このように、より正確なチャネル状態情報を測定及び報告することができるように、既存のＲＩ、ＰＭＩ及びＣＱＩから構成されるＣＳＩを改善した新たなＣＳＩフィードバック方案を適用することができる。例えば、受信端がフィードバックするプレコーディング情報が２個のＰＭＩの組合せによって指示されることができる。２個のＰＭＩの一つ（第１ＰＭＩ）は、長期間及び／又は広帯域（ｌｏｎｇ ｔｅｒｍ ａｎｄ／ｏｒ ｗｉｄｅｂａｎｄ）の属性を有し、Ｗ１と指称されることができる。２個のＰＭＩの他の一つ（第２ＰＭＩ）は、短期間及び／又はサブバンド（ｓｈｏｒｔ ｔｅｒｍ ａｎｄ／ｏｒ ｓｕｂｂａｎｄ）の属性を有し、Ｗ２と指称されることができる。Ｗ１及びＷ２の組合せ（又は関数）によって最終的なＰＭＩが決定されることができる。例えば、最終ＰＭＩをＷとすると、Ｗ＝Ｗ１＊Ｗ２又はＷ＝Ｗ２＊Ｗ１のように定義することができる。
【００７５】
以下ではＣＱＩ計算について説明する。
【００７６】
以下では下りリンク受信端が端末である場合を仮定し、ＣＱＩ計算について具体的に説明する。端末がＣＳＩを報告するとき、ＣＱＩを計算する基準となるリソース（以下では、参照リソース（ｒｅｆｅｒｅｎｃｅ ｒｅｓｏｕｒｃｅ）という）を設定／定義する方案について説明する。まず、ＣＱＩの定義についてより具体的に説明する。
【００７７】
端末が報告するＣＱＩは特定のインデックス値にあたる。ＣＱＩインデックスはチャネル状態にあたる変調技法、コードレートなどを示す値である。例えば、ＣＱＩインデックス及びその解釈は次の表５の通りに表すことができる。
【００７８】
【表５】
0006629745.tif 000009
【００７９】
時間及び周波数で制限されない観察に基づき、端末は上りリンクサブフレームｎで報告されるそれぞれのＣＱＩ値に対して表５のＣＱＩインデックス１乃至１５の中で所定の要件を満たす最も高いＣＱＩインデックスを決定することができる。所定の要件は、該当のＣＱＩインデックスにあたる変調技法（例えば、ＭＣＳ）及び送信ブロックの大きさ（ＴＢＳ）の組合せを有し、ＣＱＩ参照リソースと呼ばれる下りリンク物理リソースブロックのグループを占める単一ＰＤＳＣＨ送信ブロックが０．１（つまり、１０％）を超えない送信ブロックエラー確率で受信できるものに決定されることができる。ＣＱＩインデックス１も前記要件を満たさない場合、端末はＣＱＩインデックス０に決定することができる。
【００８０】
ＣＳＩサブフレーム集合ＣCSI,0とＣCSI,1が上位階層によって設定された場合、それぞれのＣＳＩ参照リソースはＣCSI,0又はＣCSI,1に属するが、両方に共に属しない。上位階層によってＣCSI,0とＣCSI,1に設定されたＣＳＩサブフレームに対して設定された場合、端末はＣＳＩの両サブフレームのいずれにも属しないサブフレーム内でＣＳＩ参照リソースのためのトリガーを受信しない。送信モード１０（ｔｒａｎｓｍｉｓｓｉｏｎ ｍｏｄｅ １０）及び周期的ＣＳＩ報告を行う端末に対し、ＣＳＩ参照リソースのためのＣＳＩサブフレーム集合はそれぞれのＣＳＩプロセスに対して上位階層を通じて設定される。
【００８１】
上位階層を通じてｐｍｉ−ＲＩ−Ｒｅｐｏｒｔが設定され、送信モード９である場合、端末はＣＳＩ−ＲＳにのみ基づいて上りリンクサブフレームｎで報告されるＣＱＩ値を計算するためのチャネル測定を行うことができる。ここで、端末はＣＳＩ−ＲＳがノンゼロパワー（Ｎｏｎ−Ｚｅｒｏ Ｐｏｗｅｒ）と仮定するように設定される。上位階層を通じてｐｍｉ−ＲＩ−Ｒｅｐｏｒｔが設定されず、送信モード９である場合であるか送信モード１−８である場合、端末はＣＲＳに基づいてＣＱＩ計算のためのチャネル測定を行うことができる。
【００８２】
送信モード１０である場合、端末はＣＳＩプロセスに関連するように設定されたＣＳＩ−ＲＳリソース内のノンゼロパワー（ｎｏｎ−ｚｅｒｏ ｐｏｗｅｒ）ＣＳＩ−ＲＳにのみ基づき、上りリンクサブフレームｎ及びＣＳＩプロセスに対応するＣＱＩ値を計算するためのチャネル測定を行うことができる。
【００８３】
若しくは、送信モード１０である場合、端末はＣＳＩプロセスに関連するように設定されたＣＳＩ−ＩＭリソース内のゼロパワー（ｚｅｒｏ ｐｏｗｅｒ）ＣＳＩ−ＲＳにのみ基づいて、上りリンクサブフレームｎ及びＣＳＩプロセスに対応するＣＱＩ値を計算するためのチャネル測定を行うこともできる。送信モード１０で、上位階層を通じてＣＳＩプロセスのためのＣＳＩサブフレーム集合ＣCSI,0とＣCSI,1が設定された場合、該当のＣＳＩ参照リソースに属するサブフレーム集合内のＣＳＩ−ＩＭリソースは干渉測定を行うために使われる。
【００８４】
下記の要件を全て満たす場合、変調技法及び送信ブロック大きさの組合せは一つのＣＱＩインデックスにあたることができる。ｉ）関連した送信ブロック大きさテーブルによってＣＱＩ参照リソースでのＰＤＳＣＨ上での送信に対して前記組合せがシグナルされることができ、ii）変調技法が該当のＣＱＩインデックスによって指示され、そして、iii ）送信ブロック大きさ及び変調技法の組合せが参照リソースに適用される場合、該当のＣＱＩインデックスによって指示されるコードレートに最も近い有効チャネルコードレートを有することが上記要件にあたる。送信ブロック大きさ及び変調技法の組合せの二つ以上が該当のＣＱＩインデックスによって指示されるコードレートと同一な程度に近い場合には、送信ブロック大きさが最小である組合せに決定されることができる。
【００８５】
一方、ＣＱＩ参照リソースは次のように定義される。
【００８６】
周波数領域でＣＱＩ参照リソースは、導出されたＣＱＩ値が関連した帯域にあたる下りリンク物理リソースブロックのグループに定義される。
【００８７】
時間領域で送信モード１−９又はサービングセルの単一ＣＳＩプロセスが設定された送信モード１０である場合、ＣＱＩ参照リソースは、単一下りリンクサブフレームｎ−ｎCQI_refに定義される。ここで、周期的ＣＱＩ報告の場合には、ｎCQI_refは４以上の値の中で最小値でありながら、下りリンクサブフレームｎ−ｎCQI_refが有効な下りリンクサブフレームにあたる値に決定される。非周期的ＣＱＩ報告の場合には、ｎCQI_refは上りリンクＤＣＩフォーマット（つまり、上りリンクスケジューリング制御情報を端末に提供するためのＰＤＣＣＨ ＤＣＩフォーマット）でのＣＱＩ要求にあたる（又はＣＱＩ要求が受信された）有効な下りリンクサブフレームと同一の下りリンクサブフレームがＣＱＩ参照リソースに決定される。また、非周期的ＣＱＩ報告の場合、ｎCQI_refは４であり、下りリンクサブフレームｎ−ｎCQI_refは有効な下りリンクサブフレームにあたる。ここで、下りリンクサブフレームｎ−ｎCQI_refはランダムアクセス応答グラント（ｒａｎｄｏｍ ａｃｃｅｓｓ ｒｅｓｐｏｎｓｅ ｇｒａｎｔ）でのＣＱＩ要求にあたる（又はＣＱＩ要求が受信された）サブフレーム以後に受信されることができる。
【００８８】
時間領域でサービングセルのための多数のＣＳＩプロセスが設定された送信モード１０である場合、ＣＱＩ参照リソースは、単一下りリンクサブフレームｎ−ｎCQI_refに定義される。
【００８９】
ここで、ＦＤＤでありながら周期的／非周期的ＣＱＩ報告の場合には、ｎCQI_refは５以上の値の中で最小値でありながら有効な下りリンクサブフレームにあたり、周期的ＣＳＩ報告の場合には、該当のＣＳＩ要求は上りリンクＤＣＩフォーマット内にある。ＦＤＤでありながら非周期的ＣＱＩ報告の場合には、ｎCQI_refは５であり、下りリンクサブフレームｎ−ｎCQI_refは有効な下りリンクサブフレーム（又はＣＱＩ要求が受信された有効な下りリンクサブフレーム）にあたる。ここで、下りリンクサブフレームｎ−ｎCQI_refはランダムアクセス応答グラント（ｒａｎｄｏｍ ａｃｃｅｓｓ ｒｅｓｐｏｎｓｅ ｇｒａｎｔ）でのＣＱＩ要求にあたるサブフレーム以後に受信されることができる。
【００９０】
ここで、ＴＤＤでありながら２個又は３個のＣＳＩプロセス及び周期的／非周期的ＣＳＩ報告の場合には、ｎCQI_refは４以上の値の中で最小値でありながら、有効な下りリンクサブフレームにあたり、非周期的ＣＳＩ報告の場合には、ＣＳＩ要求は上りリンクＤＣＩフォーマット内にある。ＴＤＤでありながら２個又は３個のＣＳＩプロセス及び非周期的ＣＳＩ報告の場合には、ｎCQI_refは４であり、下りリンクサブフレームｎ−ｎCQI_refは有効な下りリンクサブフレームにあたる。ここで、下りリンクサブフレームｎ−ｎCQI_refはランダムアクセス応答グラント（ｒａｎｄｏｍ ａｃｃｅｓｓ ｒｅｓｐｏｎｓｅ ｇｒａｎｔ）でのＣＱＩ要求にあたるサブフレーム（又はＣＱＩ要求が受信されたサブフレーム）以後に受信されることができる。
【００９１】
ここで、ＴＤＤでありながら４個のＣＳＩプロセス及び周期的／非周期的ＣＳＩ報告の場合には、ｎCQI_refは５以上の値の中で最小値でありながら有効な下りリンクサブフレームにあたり、非周期的ＣＳＩ報告の場合には、ＣＳＩ要求はＤＣＩフォーマット内にある。ＴＤＤでありながら４個のＣＳＩプロセス及び非周期的ＣＳＩ報告の場合には、ｎCQI_refは５であり、下りリンクサブフレームｎ−ｎCQI_refは有効な下りリンクサブフレームにあたる。ここで、下りリンクサブフレームｎ−ｎCQI_refはランダムアクセス応答グラント（ｒａｎｄｏｍ ａｃｃｅｓｓ ｒｅｓｐｏｎｓｅ ｇｒａｎｔ）でのＣＱＩ要求にあたるサブフレーム（又はＣＱＩ要求が受信されたサブフレーム）以後に受信されることができる。
【００９２】
ここで、有効な下りリンクサブフレームとは、該当のＵＥに対して下りリンクサブフレームに設定され、送信モード９／１０を除いてはＭＢＳＦＮサブフレームではなく、ＤｗＰＴＳの長さが７６８０＊Ｔｓ（Ｔｓ＝１／（１５０００×２０４８）秒）以下の場合にＤｗＰＴＳフィールドを含まなく、そして、該当のＵＥに対して設定された測定ギャップに属しない下りリンクサブフレームであることを意味する。また、周期的ＣＳＩ報告の場合、周期的ＣＳＩ報告に連結されたＣＳＩサブフレーム集合の要素（ｅｌｅｍｅｎｔ）であり、多数のＣＳＩプロセスが設定された送信モード１０であり、ＣＳＩプロセスの非周期的ＣＳＩ報告が設定された場合、周期的ＣＳＩ報告に連結されたＣＳＩサブフレーム集合の要素（ｅｌｅｍｅｎｔ）であり、ＣＳＩプロセスのためのＣＳＩサブフレーム集合が設定された端末であるとき、上りリンクＤＣＩフォーマット上のＣＳＩ ｒｅｑｕｅｓｔに対応する下りリンクサブフレームに連結されたＣＳＩサブフレーム集合の要素である。
【００９３】
ＣＱＩ参照リソースのための有効な下りリンクサブフレームがない場合には、上りリンクサブフレームｎでＣＱＩ報告は省略することができる。
【００９４】
レイヤー領域においてＣＱＩ参照リソースは、ＣＱＩが前提とする任意のＲＩ及びＰＭＩに定義される。
【００９５】
ＣＱＩ参照リソースで端末がＣＱＩインデックスを誘導するために次の事項を仮定することができる：（１）下りリンクサブフレームの初めの３ ＯＦＤＭシンボルは制御シグナリングの用途に使われる。（２）主同期信号、副同期信号又は物理放送チャネルによって使われるリソース要素はない。（３）非ＭＢＳＦＮサブフレームのＣＰ長さを有する。（４）リダンダンシーバージョンは０である。（５）チャネル測定のためにＣＳＩ−ＲＳが使われる場合、ＰＤＳＣＨ ＥＰＲＥ（Ｅｎｅｒｇｙ Ｐｅｒ Ｒｅｓｏｕｒｃｅ Ｅｌｅｍｅｎｔ）対ＣＳＩ−ＲＳ ＥＰＲＥの割合は上位階層によってシグナルされる所定の値を有する。（６）送信モード別に定義されたＰＤＳＣＨ送信技法（単一アンテナポート送信、送信ダイバーシティ、空間多重化、ＭＵ−ＭＩＭＯなど）が該当のＵＥに対して現在設定されている（デフォルトモードであり得る）。（７）チャネル測定のためにＣＲＳが使われる場合、ＰＤＳＣＨ ＥＰＲＥ対ＣＲＳ ＥＰＲＥは所定の要件によって決定されることができる。（８）ＰＤＳＣＨ送信方式は表６に与えられ、現在端末に設定されている送信モードによる。
【００９６】
【表６】
0006629745.tif 000010
【００９７】
また、ＰＭＩ／ＲＩ報告が設定されていない場合のＣＳＩ報告に関する事項など、ＣＱＩ定義に関連したより具体的な事項は３ＧＰＰ ＴＳ３６．２１３を参照することができる。
【００９８】
前述した内容に基づき、本発明においては多数のセルが自分のシステム負荷状態によって無線リソースの用途を動的に変更し、該当の情報を前もって定義されたフォーマットの無線リソース用途変更メッセージ（Ｒｅｃｏｎｆｉｇｕｒａｔｉｏｎ Ｍｅｓｓａｇｅ）によって端末に知らせる場合、端末のチャネル推定（Ｃｈａｎｎｅｌ Ｅｓｔｉｍａｔｉｏｎ）及び報告動作を用途変更メッセージの受信成功可否に構わずに安定的に支援する方法を提案する。
【００９９】
ここで、用途変更メッセージは上位階層シグナル形態（例えば、ＳＩＢ／ＰＢＣＨ／ＭＡＣ／ＲＲＣ）あるいは物理階層シグナル形態（例えば、ＰＤＣＣＨ／ＥＰＤＣＣＨ／ＰＤＳＣＨ）に定義することができる。また、該当の用途変更メッセージは端末特定的な（ＵＥ−Ｓｐｅｃｉｆｉｃ）特性又はセル特定的な（Ｃｅｌｌ−Ｓｐｅｃｉｆｉｃ）特性又は端末グループ特定的な（ＵＥ−Ｇｒｏｕｐ−Ｓｐｅｃｉｆｉｃ）特性又は端末グループ共通（ＵＥ−Ｇｒｏｕｐ−Ｃｏｍｍｏｎ）特性を有することができる。さらに、用途変更メッセージはＵＳＳ（ＵＥ−Ｓｐｅｃｉｆｉｃ Ｓｅａｒｃｈ Ｓｐａｃｅ）あるいはＣＳＳ（Ｃｏｍｍｏｎ Ｓｅａｒｃｈ Ｓｐａｃｅ）を通じて送信されることができる。
【０１００】
以下では説明の便宜のために３ＧＰＰ ＬＴＥシステムに基づいて実施例を説明する。しかし、本発明が適用されるシステムの範囲は３ＧＰＰ ＬＴＥシステムの外に他のシステムにも拡張可能である。
【０１０１】
また、本発明の実施例は搬送波集成技法（Ｃａｒｒｉｅｒ Ａｇｇｒｅｇａｔｉｏｎ、ＣＡ）が適用された環境下で、特定のセル（Ｃｅｌｌ）あるいは特定のコンポーネントキャリア（Ｃｏｍｐｏｎｅｎｔ Ｃａｒｒｉｅｒ、ＣＣ）上のリソースをシステムの負荷状態によって動的に変更する場合にも拡張適用可能である。また、本発明の実施例は、ＴＤＤシステムあるいはＦＤＤシステムあるいはＴＤＤ／ＦＤＤ併合システムの下で無線リソースの用途を動的に変更する場合にも拡張適用可能である。以下では実施例についての説明の便宜のためにＴＤＤシステム環境の下でそれぞれのセルが自分のシステム負荷状態によって既存無線リソースの用途を動的に変更する状況を仮定して説明する。
【０１０２】
また、無線リソース用途の動的変更によって既存（ｌｅｇａｃｙ）無線リソースは二つのタイプのリソースに区分することができる。
【０１０３】
例えば、既存無線リソースは静的な（つまり、固定された）用途に使われるリソース集合（つまり、静的リソース、Ｓｔａｔｉｃ Ｒｅｓｏｕｒｃｅ）と用途が動的に変更されるリソース集合（つまり、流動リソース、Ｆｌｅｘｉｂｌｅ Ｒｅｓｏｕｒｃｅ）に区分されることができる。例えば、ＳＩＢ上の上りリンク−下りリンク設定と同一の用途に使われる（あるいは同一用途に続いて使われる）リソース集合を静的リソース集合に定義し、ＳＩＢ上の上りリンク−下りリンク設定と違う用途に使われる（あるいは異なった用途に使われる可能性がある）リソース集合を流動リソース集合に定義することができる。
【０１０４】
他の例として、以前の用途変更時点（例えば、前もって定義された用途変更周期に基づく用途変更方式）に設定された上りリンク−下りリンク設定と同一の用途に使われる（あるいは同一の用途に続いて使われる）リソース集合を静的リソース集合に定義し、以前の用途変更時点に設定された上りリンク−下りリンク設定と異なる用途に使われる（あるいは異なった用途に使われる可能性がある）リソース集合を流動リソース集合に定義することもできる。
【０１０５】
さらに他の例として、前もって定義された参照下りリンクＨＡＲＱタイムライン（Ｒｅｆｅｒｅｎｃｅ ＤＬ ＨＡＲＱ Ｔｉｍｅｌｉｎｅ）の上りリンク−下りリンク設定（あるいは参照上りリンクＨＡＲＱタイムライン（Ｒｅｆｅｒｅｎｃｅ ＵＬ ＨＡＲＱ Ｔｉｍｅｌｉｎｅ）の上りリンク−下りリンク設定）と同一の用途に使われる（あるいは同一の用途に続いて使われる）リソース集合を静的リソース集合に定義し、参照下りリンクＨＡＲＱタイムラインの上りリンク−下りリンク設定（あるいは参照上りリンクＨＡＲＱタイムラインの上りリンク−下りリンク設定）と異なる用途に使われる（あるいは異なった用途に使われる可能性がある）リソース集合を流動リソース集合に定義することもできる。
【０１０６】
ここで、参照下りリンク／上りリンクＨＡＲＱタイムラインは、上りリンク−下りリンク設定の（再）変更に関係なく安定的なＨＡＲＱタイムラインを維持するための目的で設定されたＨＡＲＱタイムラインであり、これは再設定可能な上りリンク−下りリンク設定候補のｉ）下りリンクサブフレームの和集合／上りリンクサブフレームの積集合、ii）下りリンクサブフレームの和集合／上りリンクサブフレームの和集合、iii ）下りリンクサブフレームの積集合／上りリンクサブフレームの積集合、iv）下りリンクサブフレームの積集合／上りリンクサブフレームの和集合のいずれか一つを含む上りリンク−下りリンク設定の下りリンク／上りリンクＨＡＲＱタイムラインに定義することができる。
【０１０７】
図８はＴＤＤシステム環境下で既存（Ｌｅｇａｃｙ）サブフレームを静的サブフレーム集合と流動サブフレーム集合に分割した場合を示す。図８で、ＳＩＢ（Ｓｙｓｔｅｍ Ｉｎｆｏｒｍａｔｉｏｎ Ｂｌｏｃｋ）シグナルによって設定された既存上りリンク−下りリンク設定を上りリンク−下りリンク設定＃１（つまり、ＤＳＵＵＤＤＳＵＵＤ）と仮定し、基地局は端末に前もって定義されたシグナルによって無線リソースの用途の再設定情報を知らせると仮定した。
【０１０８】
無線リソース用途変更メッセージ（Ｒｅｃｏｎｆｉｇｕｒａｔｉｏｎ Ｍｅｓｓａｇｅ）は前もって定義された規則に従い、ｉ）該当の用途変更メッセージ受信時点を含んで以後に現れるか、ii）あるいは該当の用途変更メッセージ受信時点を含まないで以後に現れるか、iii ）あるいは該当の用途変更メッセージ受信時点から前もって定義された時間（つまり、サブフレームオフセット（Ｓｕｂｆｒａｍｅ Ｏｆｆｓｅｔ）以後）に現れる無線リソースの用途を知らせる目的で用いられる。
【０１０９】
したがって、システムの安定的な下りリンク／上りリンク通信、端末の安定的なチャネル状態情報（Ｃｈａｎｎｅｌ Ｓｔａｔｅ Ｉｎｆｏｒｍａｔｉｏｎ；ＣＳＩ）の導出及び報告のために高い成功確率（Ｈｉｇｈ Ｓｕｃｃｅｓｓ Ｐｒｏｂａｂｉｌｉｔｙ）の用途変更メッセージ送／受信方法あるいは特定の端末が用途変更メッセージを成功的に受信することができなかった場合に該当の端末が仮定することになる上りリンク−下りリンク設定（ＵＬ−ＤＬ Ｃｏｎｆｉｇｕｒａｔｉｏｎ）（つまり、上りリンク−下りリンク設定に対するフォールバック（Ｆａｌｌｂａｃｋ）動作）などが定義される必要性がある。ここで、端末が用途変更メッセージを成功的に受信することができなかった状況は、例えば、端末が受信された用途変更メッセージに対するＣＲＣ（Ｃｙｃｌｉｃ Ｒｅｄｕｎｄａｎｃｙ Ｃｈｅｃｋ）を遂行したときに虚偽（Ｆａｌｓｅ）に判明された場合、あるいは端末が用途変更メッセージを漏らした（Ｍｉｓｓｉｎｇ）場合（例えば、ＤＲＸ動作によって端末が用途変更メッセージを漏らした場合）などがあることができる。
【０１１０】
図９は端末の用途変更メッセージ受信失敗によって特定の時点のＣＳＩ報告（ＣＳＩ Ｒｅｐｏｒｔｉｎｇ）と連動した有効なＣＳＩ参照リソース（Ｖａｌｉｄ ＣＳＩ Ｒｅｆｅｒｅｎｃｅ Ｒｅｓｏｕｒｃｅ）の位置を、どの上りリンク−下りリンク設定に関する仮定／規則に基づいて決定しなければならないかに対する曖昧さ問題（Ａｍｂｉｇｕｉｔｙ Ｐｒｏｂｌｅｍ）が発生する場合に対する場合を示す。
【０１１１】
図９で、周期的ＣＳＩ報告（Ｐｅｒｉｏｄｉｃ ＣＳＩ Ｒｅｐｏｒｔｉｎｇ）動作が設定された状況（例えば、周期５ｍｓ）を仮定し、さらに該当の周期的ＣＳＩ報告は静的上りリンクリソース（つまり、Ｓｔａｔｉｃ ＵＬ Ｒｅｓｏｕｒｃｅ）を通じて行われるように設定されたと仮定した。さらに、ＳＩＢシグナルによって設定された既存上りリンク−下りリンク設定を上りリンク−下りリンク設定＃０（つまり、ＤＳＵＵＵＤＳＵＵＵ）と仮定し、基地局は端末に前もって定義された周期（例えば、１０ｍｓ）及びシグナル形態に基づいて用途変更メッセージを送信すると仮定した。ここで、端末はＳＦ＃（ｎ＋１０）時点に送信される用途変更メッセージを成功的に受信することができなかったと仮定し、これにより、該当の用途変更メッセージによって用途が決定されるＳＦ＃（ｎ＋１０）時点からＳＦ＃（ｎ＋１９）時点までのサブフレームに対する用途が明確に把握されることができなかった場合を仮定する。
【０１１２】
図９（ａ）乃至図９（ｄ）において、それぞれの場合に対してＣＳＩ報告時点及びＣＳＩ報告と連動した有効なＣＳＩ参照リソース位置を説明する。
●Ｃａｓｅ Ａ：図９（ａ）を参照して説明する。
−ＣＳＩ報告時点：成功的に受信された用途変更メッセージからその用途が決定される区間上に属する。
−ＣＳＩ報告と連動した有効なＣＳＩ参照リソース位置：成功的に受信された用途変更メッセージからその用途が決定される区間上に属する。
●Ｃａｓｅ Ｂ：図９（ｂ）を参照して説明する。
−ＣＳＩ報告時点：受信失敗した用途変更メッセージからその用途が決定される区間上に属する。
−ＣＳＩ報告と連動した有効なＣＳＩ参照リソース位置：成功的に受信された用途変更メッセージからその用途が決定される区間上に属する。
●Ｃａｓｅ Ｃ：図９（ｃ）を参照して説明する。
−ＣＳＩ報告時点：受信失敗した用途変更メッセージからその用途が決定される区間上に属する。
−ＣＳＩ報告と連動した有効なＣＳＩ参照リソース位置：受信失敗した用途変更メッセージからその用途が決定される区間上に属する。
●Ｃａｓｅ Ｄ：図９（ｄ）を参照して説明する。
−ＣＳＩ報告時点：成功的に受信された用途変更メッセージからその用途が決定される区間上に属する。
−ＣＳＩ報告と連動した有効なＣＳＩ参照リソース位置：受信失敗した用途変更メッセージからその用途が決定される区間上に属する。
【０１１３】
用途変更メッセージの受信有無に独立的な端末のＣＳＩ報告設定
【０１１４】
前述した図９のそれぞれの場合（つまり、Ｃａｓｅ Ａ、Ｃａｓｅ Ｂ、Ｃａｓｅ Ｃ、Ｃａｓｅ Ｄ）は、端末の安定的なＣＳＩ導出及び報告のために用途変更メッセージの受信成功可否に構わずに特定の時点のＣＳＩ報告と連動したｉ）有効なＣＳＩ参照リソースの位置を決定するための設定、ii）有効なＣＳＩ参照リソースに考慮されるために満たすべき条件に対する設定、iii ）有効なＣＳＩ参照リソースの位置決定に用いられる上りリンク−下りリンク設定に関する仮定に対する規則の少なくとも一つが（再）定義される必要がある。すなわち、端末の用途変更メッセージ受信失敗によって図９のそれぞれの場合（つまり、Ｃａｓｅ Ａ、Ｃａｓｅ Ｂ、Ｃａｓｅ Ｃ、Ｃａｓｅ Ｄ）においてＣＳＩ報告を（実際に）行わなければならないかに対する曖昧さ問題及び／又は特定の時点のＣＳＩ報告と連動した有効なＣＳＩ参照リソースの位置をどのようにに決定するかに対する曖昧さ問題及び／又はどの上りリンク−下りリンク設定に関する仮定に基づいて有効なＣＳＩ参照リソースの位置を決定するかに対する曖昧さ問題などが発生することができる。
【０１１５】
また、図９のそれぞれの場合（つまり、Ｃａｓｅ Ａ、Ｃａｓｅ Ｂ、Ｃａｓｅ Ｃ、Ｃａｓｅ Ｄ）において、特定の時点のＣＳＩ報告と連動した有効なＣＳＩ参照リソースの位置は、ｉ）該当のＣＳＩ報告時点から前もって定義された値（例えば、４ｍｓあるいは５ｍｓ）を含んで以前の時点であるとともに前もって定義された有効なＣＳＩ参照リソース（Ｖａｌｉｄ ＣＳＩ Ｒｅｆｅｒｅｎｃｅ Ｒｅｓｏｕｒｃｅ）の条件を満たす一番近いサブフレーム、ii）あるいは該当のＣＳＩ報告時点から前もって定義された値以前の時点であるとともに前もって定義された有効なＣＳＩ参照リソースの条件を満たすサブフレーム（例えば、Ｒａｎｄｏｍ Ａｃｃｅｓｓ Ｒｅｓｐｏｎｓｅ （ＲＡＲ） Ｇｒａｎｔ上のＣＳＩ Ｒｅｑｕｅｓｔフィールドに基づく非周期的ＣＳＩ報告）、iii ）あるいは該当のＣＳＩ報告をトリガー（Ｔｒｉｇｇｅｒｉｎｇ）させる上りリンクＤＣＩフォーマット上のＣＳＩ Ｒｅｑｕｅｓｔフィールドが受信されたサブフレームであるとともに前もって定義された有効なＣＳＩ参照リソースの条件を満たすサブフレーム（例えば、非周期的ＣＳＩ報告）の一つと見なすことができる。
【０１１６】
したがって、本発明では、前述した場合、多数のセルが自分のシステム負荷状態によって無線リソースの用途を動的に変更し、該当の情報を前もって定義されたフォーマットの無線リソース用途変更メッセージによって端末に知らせる場合、用途変更メッセージの受信成功可否に構わず、端末の安定的なＣＳＩ導出及び報告を保障する方法を提案する。
【０１１７】
ここで、一例として先に説明した多様な場合（つまり、図９のＣａｓｅ Ａ、Ｃａｓｅ Ｂ、Ｃａｓｅ Ｃ、Ｃａｓｅ Ｄ）で、端末の安定的なＣＳＩ導出及び報告を保障するためには、特定の時点のＣＳＩ報告と連動した有効なＣＳＩ参照リソースの位置を決定する規則及び／又は有効なＣＳＩ参照リソースと考慮されるために満たさなければならない条件に対する規則及び／又は有効なＣＳＩ参照リソースの位置決定に用いられる上りリンク−下りリンク設定に関する仮定（つまり、上りリンク−下りリンク設定に対するフォールバック動作）に対する規則などを（再）定義する必要がある。
【０１１８】
また、特定の時点のＣＳＩ報告と連動した有効なＣＳＩ参照リソースの位置は、該当のＣＳＩ報告時点から前もって定義された値を含んで以前の時点であるとともに前もって定義された有効なＣＳＩ参照リソースの条件を満たす一番近いサブフレーム、あるいは該当のＣＳＩ報告時点から前もって定義された値以前の時点であるとともに前もって定義された有効なＣＳＩ参照リソースの条件を満たすサブフレーム、あるいは該当のＣＳＩ報告をトリガーさせる上りリンクＤＣＩフォーマット上のＣＳＩ Ｒｅｑｕｅｓｔフィールドが受信されたサブフレームであるとともに前もって定義された有効なＣＳＩ参照リソースの条件を満たすサブフレームと見なすことができる。
【０１１９】
以下の実施例は周期的ＣＳＩ報告動作が設定（Ｃｏｎｆｉｇｕｒａｔｉｏｎ）された状況及び／又は非周期的ＣＳＩ報告動作がトリガーされた状況でも拡張適用することができる。また、以下の実施例は多様な送信モード（ＴＭ）設定（例えば、ＴＭ１−９あるいはＴＭ１０）の状況及び／又は多様なＣＳＩプロセスの個数設定（例えば、１個、２個、３個、４個のＣＳＩプロセス）の状況でも拡張適用することができる。
【０１２０】
＜第１実施例＞
【０１２１】
本発明の第１実施例によれば、特定の時点のＣＳＩ報告と連動した有効なＣＳＩ参照リソースの位置は、以下に羅列される上りリンク−下りリンク設定（つまり、Ｏｐｔｉｏｎ＃Ａ乃至＃Ｄ）の中で特定の上りリンク−下りリンク設定に関する仮定に基づいて決定されるように設定することができる。
●［Ｏｐｔｉｏｎ ＃Ａ］ＳＩＢの上りリンク−下りリンク設定
●［Ｏｐｔｉｏｎ ＃Ｂ］前もって定義された参照（Ｒｅｆｅｒｅｎｃｅ）上りリンクＨＡＲＱタイムラインの上りリンク−下りリンク設定
●［Ｏｐｔｉｏｎ ＃Ｃ］前もって定義された参照（Ｒｅｆｅｒｅｎｃｅ）下りリンクＨＡＲＱタイムラインの上りリンク−下りリンク設定
●［Ｏｐｔｉｏｎ ＃Ｄ］用途変更メッセージによって（再）設定された上りリンク−下りリンク設定
【０１２２】
また、以下では有効なＣＳＩ参照リソースの条件を下りリンクサブフレーム及び／又はスペシャルサブフレーム（例えば、ＤｗＰＴＳ）と仮定する。しかし、この実施例において特定の送信モード（例えば、ＴＭ１０）が設定された場合及び／又は用途変更メッセージが物理階層シグナルの形態を有する場合（例えば、端末グループ共通制御チャネルを通じた明示的無線リソース用途変更Ｌ１シグナリング（Ｅｘｐｌｉｃｉｔ Ｌ１ Ｓｉｇｎａｌｉｎｇ ｏｆ Ｒｅｃｏｎｆｉｇｕｒａｔｉｏｎ ｂｙ ＵＥ−Ｇｒｏｕｐ−Ｃｏｍｍｏｎ（ｅ）ＰＤＣＣＨ））には有効なＣＳＩ参照リソースの条件が下りリンクサブフレーム及び／又はスペシャルサブフレームに限定されないように設定することができる（例えば、下りリンクサブフレーム（及び／又はスペシャルサブフレーム（例えば、ＤｗＰＴＳ））と上りリンクサブフレーム（及び／又はスペシャルサブフレーム（例えば、ＵｐＰＴＳ））を皆考慮するように設定）。
【０１２３】
この第１実施例に基づく有効なＣＳＩ参照リソースの位置決定に用いられる上りリンク−下りリンク設定に関する仮定は、図９で説明したＣａｓｅ Ａ、Ｃａｓｅ Ｂ、Ｃａｓｅ Ｃ、Ｃａｓｅ Ｄの間に共通的に適用されるように設定することができるが、それぞれ独立的に適用されるように設定（例えば、一部の場合（例えば、Ｃａｓｅ Ｃ）には他の場合（Ｃａｓｅ Ａ、Ｃａｓｅ Ｂ、Ｃａｓｅ Ｄ）とは違う上りリンク−下りリンク設定に関する仮定が適用されるように設定）されることもできる。
【０１２４】
以下では本発明に対する説明の便宜のために有効なＣＳＩ参照リソースの位置が用途変更メッセージによって（再）設定された上りリンク−下りリンク設定上の下りリンクサブフレーム（及び／又はスペシャルサブフレーム（例えば、ＤｗＰＴＳ））に基づいて決定されるように設定された状況（つまり、Ｏｐｔｉｏｎ ＃Ｄ）下で、特定の時点の用途変更メッセージが成功的に受信されない場合を仮定する。しかし、本発明は有効なＣＳＩ参照リソースの位置決定に用いられる上りリンク−下りリンク設定に関する仮定がこれとは違う形態に定義された状況（例えば、Ｏｐｔｉｏｎ ＃Ｃ）下で、特定の時点の用途変更メッセージが成功的に受信されない場合にも拡張適用することができるのは言うまでもない。
【０１２５】
すなわち、ｉ）有効なＣＳＩ参照リソースの位置が用途変更メッセージによって（再）設定された上りリンク−下りリンク設定上の下りリンクサブフレーム（及び／又はスペシャルサブフレーム（例えば、ＤｗＰＴＳ））に基づいて決定されるように設定された状況、ii）あるいは有効なＣＳＩ参照リソースの位置が前もって定義された参照下りリンクＨＡＲＱタイムラインの上りリンク−下りリンク設定上の下りリンクサブフレーム（及び／又はスペシャルサブフレーム（例えば、ＤｗＰＴＳ））に基づいて決定されるように設定された状況下で、特定の時点の用途変更メッセージが成功的に受信されない場合、それぞれの場合別に有効なＣＳＩ参照リソースの位置決定に用いられる上りリンク−下りリンク設定に関する仮定と有効なＣＳＩ参照リソースの条件を満たすサブフレームは以下に説明する実施例１−１乃至実施例１−１５のように設定することができる。
【０１２６】
実施例１−１
【０１２７】
本発明によれば、特定の時点のＣＳＩ報告と連動した有効なＣＳＩ参照リソースの位置が受信失敗した用途変更メッセージからその用途が決定される区間上に属する場合（つまり、図９のＣａｓｅ ＣあるいはＣａｓｅ Ｄ）、ＳＩＢの上りリンク−下りリンク設定（つまり、［Ｏｐｔｉｏｎ ＃Ａ］）上の下りリンクサブフレーム及び／又はスペシャルサブフレーム（例えば、ＤｗＰＴＳ）のみを考慮して特定の時点のＣＳＩ報告と連動した有効なＣＳＩ参照リソースの位置を決定することができる。
【０１２８】
実施例１−２
【０１２９】
本発明によれば、特定の時点のＣＳＩ報告と連動した有効なＣＳＩ参照リソースの位置が受信失敗した用途変更メッセージからその用途が決定される区間上に属する場合（つまり、Ｃａｓｅ ＣあるいはＣａｓｅ Ｄ）、前もって定義された参照上りリンクＨＡＲＱタイムラインの上りリンク−下りリンク設定（つまり、［Ｏｐｔｉｏｎ ＃Ｂ］）上の下りリンクサブフレーム及び／又はスペシャルサブフレーム（例えば、ＤｗＰＴＳ）のみを考慮して特定の時点のＣＳＩ報告と連動した有効なＣＳＩ参照リソースの位置を決定することができる。
【０１３０】
実施例１−３
【０１３１】
本発明によれば、特定の時点のＣＳＩ報告と連動した有効なＣＳＩ参照リソースの位置が受信失敗した用途変更メッセージからその用途が決定される区間上に属する場合（つまり、Ｃａｓｅ ＣあるいはＣａｓｅ Ｄ）、前もって定義された参照下りリンクＨＡＲＱタイムラインの上りリンク−下りリンク設定（つまり、［Ｏｐｔｉｏｎ ＃Ｃ］）上の下りリンクサブフレーム及び／又はスペシャルサブフレーム（例えば、ＤｗＰＴＳ）のみを考慮して特定の時点のＣＳＩ報告と連動した有効なＣＳＩ参照リソースの位置を決定することができる。
【０１３２】
実施例１−４
【０１３３】
本発明によれば、特定の時点のＣＳＩ報告と連動した有効なＣＳＩ参照リソースの位置が受信失敗した用途変更メッセージからその用途が決定される区間上に属する場合（つまり、Ｃａｓｅ ＣあるいはＣａｓｅ Ｄ）、（前もって定義された）静的リソース集合上の下りリンクサブフレーム及び／又はスペシャルサブフレーム（例えば、ＤｗＰＴＳ）のみを考慮して特定の時点のＣＳＩ報告と連動した有効なＣＳＩ参照リソースの位置を決定することができる。
【０１３４】
実施例１−５
【０１３５】
本発明によれば、特定の時点のＣＳＩ報告と連動した有効なＣＳＩ参照リソースの位置が受信失敗した用途変更メッセージからその用途が決定される区間上に属する場合（つまり、Ｃａｓｅ ＣあるいはＣａｓｅ Ｄ）、一番最近に受信成功した用途変更メッセージからその用途が決定される区間（つまり、［Ｏｐｔｉｏｎ ＃Ｄ］）上の下りリンクサブフレーム及び／又はスペシャルサブフレーム（例えば、ＤｗＰＴＳ）のみを考慮して特定の時点のＣＳＩ報告と連動した有効なＣＳＩ参照リソースの位置を決定することができる。
【０１３６】
実施例１−６
【０１３７】
本発明によれば、特定の時点のＣＳＩ報告と連動した有効なＣＳＩ参照リソースの位置が受信失敗した用途変更メッセージからその用途が決定される区間上に属する場合（つまり、Ｃａｓｅ ＣあるいはＣａｓｅ Ｄ）、該当のＣＳＩ報告を省略するか、あるいは前もって定義された特定の値（例えば、ＲＩ／ＰＭＩ／ＣＱＩ）で該当のＣＳＩ報告を行うことができる。
【０１３８】
この実施例１−６によるＣＳＩ報告省略方法は、基地局が端末から用途変更メッセージの受信成功可否に対するフィードバック（Ｆｅｅｄｂａｃｋ）（例えば、ＡＣＫ／ＮＡＣＫ情報）を受けるように設定された場合にのみ限定的に適用されるように設定することができる。これは、基地局が個別端末の用途変更メッセージの受信成功可否情報を把握することができなければ、基地局が端末のＣＳＩ報告遂行可否及び／又はＰＵＳＣＨ上にＣＳＩのピギーバック（Ｐｉｇｇｙｂａｃｋ）によって上りリンクデータマッピングにレートマッチング（Ｒａｔｅ−Ｍａｔｃｈｉｎｇ）が適用されたかに否かなどが正確に分からない問題が発生するからである。
【０１３９】
実施例１−７
【０１４０】
本発明によれば、特定の時点のＣＳＩ報告と連動した有効なＣＳＩ参照リソースの位置が受信失敗した用途変更メッセージからその用途が決定される区間上に属する場合（つまり、Ｃａｓｅ ＣあるいはＣａｓｅ Ｄ）には、一番最近に成功的に報告したＣＳＩ値で該当のＣＳＩ報告を行うことができる。
【０１４１】
ここで、一番最近に成功的に報告したＣＳＩ値は、ｉ）一番最近に受信成功した用途変更メッセージからその用途が決定される区間上の下りリンクサブフレーム及び／又はスペシャルサブフレーム（例えば、ＤｗＰＴＳ）に基づく最新ＣＳＩ報告値、ii）あるいはＳＩＢの上りリンク−下りリンク設定上の下りリンクサブフレーム及び／又はスペシャルサブフレーム（例えば、ＤｗＰＴＳ）に基づく最新ＣＳＩ報告値、iii ）あるいは前もって定義された参照上りリンクＨＡＲＱタイムラインの上りリンク−下りリンク設定上の下りリンクサブフレーム及び／又はスペシャルサブフレーム（例えば、ＤｗＰＴＳ）に基づく最新ＣＳＩ報告値、iv）あるいは前もって定義された参照下りリンクＨＡＲＱタイムラインの上りリンク−下りリンク設定上の下りリンクサブフレーム及び／又はスペシャルサブフレーム（例えば、ＤｗＰＴＳ）に基づく最新ＣＳＩ報告値、ｖ）あるいは（前もって定義された）静的リソース集合上の下りリンクサブフレーム及び／又はスペシャルサブフレーム（例えば、ＤｗＰＴＳ）に基づく最新ＣＳＩ報告値の一つに定義することができる。
【０１４２】
実施例１−８
【０１４３】
本発明によれば、特定の時点のＣＳＩ報告と連動した有効なＣＳＩ参照リソースの位置が受信失敗した用途変更メッセージからその用途が決定される区間上に属する場合（つまり、Ｃａｓｅ ＣあるいはＣａｓｅ Ｄ）には、一番最近に成功的に行われたＣＳＩ報告の有効なＣＳＩ参照リソースを（再び）用いて該当のＣＳＩ報告を行うことができる。
【０１４４】
例えば、一番最近に成功的に行われたＣＳＩ報告は、ｉ）一番最近に受信成功した用途変更メッセージからその用途が決定される区間上の下りリンクサブフレーム及び／又はスペシャルサブフレーム（例えば、ＤｗＰＴＳ）に基づく最新ＣＳＩ報告、ii）あるいはＳＩＢの上りリンク−下りリンク設定上の下りリンクサブフレーム及び／又はスペシャルサブフレーム（例えば、ＤｗＰＴＳ）に基づく最新ＣＳＩ報告、iii ）あるいは前もって定義された参照上りリンクＨＡＲＱタイムラインの上りリンク−下りリンク設定上の下りリンクサブフレーム及び／又はスペシャルサブフレーム（例えば、ＤｗＰＴＳ）に基づく最新ＣＳＩ報告、iv）あるいは前もって定義された参照下りリンクＨＡＲＱタイムラインの上りリンク−下りリンク設定上の下りリンクサブフレーム及び／又はスペシャルサブフレーム（例えば、ＤｗＰＴＳ）に基づく最新ＣＳＩ報告、ｖ）あるいは（前もって定義された）静的リソース集合上の下りリンクサブフレーム及び／又はスペシャルサブフレーム（例えば、ＤｗＰＴＳ）に基づく最新ＣＳＩ報告の一つに定義することができる。
【０１４５】
また、送信モード１０（ＴＭ１０）が設定された状況下で、この実施例１−８が適用される場合、一番最近に成功的に行われたＣＳＩ報告値と一番最近に成功的に行われたＣＳＩ報告の有効なＣＳＩ参照リソースを（再び）用いる（以後の）特定の時点のＣＳＩ報告値は異なる値を有することができる。
【０１４６】
これは、一番最近に成功的に行われたＣＳＩ報告の有効なＣＳＩ参照リソースを（再び）用いる（以後の）特定の時点のＣＳＩ報告値は、一番最近に成功的に行われたＣＳＩ報告の有効なＣＳＩ参照リソース以後にさらに得た測定（Ｍｅａｓｕｒｅｍｅｎｔ）情報に基づいて該当の有効なＣＳＩ参照リソース（つまり、一番最近に成功的に行われたＣＳＩ報告の有効なＣＳＩ参照リソース）でのチャネル／干渉を補間（Ｉｎｔｅｒｐｏｌａｔｉｏｎ）した結果であるため、一番最近に成功的に行われたＣＳＩ報告値と違うことができるからである。
【０１４７】
実施例１−９
【０１４８】
本発明によれば、特定の時点のＣＳＩ報告と連動した有効なＣＳＩ参照リソースの位置が受信失敗した用途変更メッセージからその用途が決定される区間上に属する場合（つまり、Ｃａｓｅ ＣあるいはＣａｓｅ Ｄ）には、受信失敗した用途変更メッセージからその用途が決定される区間上には有効なＣＳＩ参照リソースが存在しないと見なされるように設定することができる。
【０１４９】
例えば、この実施例１−９が適用される場合、特定の時点のＣＳＩ報告と連動した有効なＣＳＩ参照リソースの位置は、ｉ）一番最近に受信成功した用途変更メッセージからその用途が決定される区間上の下りリンクサブフレーム及び／又はスペシャルサブフレーム（例えば、ＤｗＰＴＳ）、ii）あるいは一番最近に受信成功した用途変更メッセージからその用途が決定される区間であるとともにＳＩＢの上りリンク−下りリンク設定上の下りリンクサブフレーム及び／又はスペシャルサブフレーム（例えば、ＤｗＰＴＳ）、iii ）あるいは一番最近に受信成功した用途変更メッセージからその用途が決定される区間であるとともに前もって定義された参照上りリンクＨＡＲＱタイムラインの上りリンク−下りリンク設定上の下りリンクサブフレーム及び／又はスペシャルサブフレーム（例えば、ＤｗＰＴＳ）、iv）あるいは一番最近に受信成功した用途変更メッセージからその用途が決定される区間であるとともに前もって定義された参照下りリンクＨＡＲＱタイムラインの上りリンク−下りリンク設定上の下りリンクサブフレーム及び／又はスペシャルサブフレーム（例えば、ＤｗＰＴＳ）ｖ）あるいは一番最近に受信成功した用途変更メッセージからその用途が決定される区間であるとともに（前もって定義された）静的リソース集合上の下りリンクサブフレーム及び／又はスペシャルサブフレーム（例えば、ＤｗＰＴＳ）のみを考慮して決定されることができる。
【０１５０】
また、この実施例１−９が適用される場合、前述した実施例１−６、１−７及び１−８の一つと組み合わせて適用されることもできる。
【０１５１】
実施例１−１０
【０１５２】
本発明によれば、特定の時点のＣＳＩ報告と連動した有効なＣＳＩ参照リソースの位置が受信失敗した用途変更メッセージからその用途が決定される区間上に属し（つまり、Ｃａｓｅ ＣあるいはＣａｓｅ Ｄ）、前述した本発明の実施例１−１乃至実施例１−９が適用される場合、前もって定義された有効なＣＳＩ参照リソースの条件を満たすサブフレームを除いた残りのサブフレームは有効ではないＣＳＩ参照リソース（例えば、上りリンクサブフレーム及び／又はスペシャルサブフレームのＵｐＰＴＳ）と見なされるように設定することができる。
【０１５３】
実施例１−１１
【０１５４】
本発明によれば、特定の時点のＣＳＩ報告と連動した有効なＣＳＩ参照リソースの位置が成功的に受信された用途変更メッセージからその用途が決定される区間上に属する場合（つまり、Ｃａｓｅ ＡあるいはＣａｓｅ Ｂ）、用途変更メッセージからその用途が決定される区間上の下りリンクサブフレーム及び／又はスペシャルサブフレーム（例えば、ＤｗＰＴＳ）のみを考慮して特定の時点のＣＳＩ報告と連動した有効なＣＳＩ参照リソースの位置が決定されることができる。
【０１５５】
実施例１−１２
【０１５６】
本発明によれば、特定の時点のＣＳＩ報告と連動した有効なＣＳＩ参照リソースの位置が成功的に受信された用途変更メッセージからその用途が決定される区間上に属する場合（つまり、Ｃａｓｅ ＡあるいはＣａｓｅ Ｂ）、前述した実施例１−１乃至実施例１−４の一つが適用されることもできる。これについての内容は前述した実施例１−１乃至実施例１−４に記述した内容と取り替える。
【０１５７】
実施例１−１３
【０１５８】
本発明によれば、ＣＳＩ報告時点が受信失敗した用途変更メッセージからその用途が決定される区間上に属する場合、前述した実施例１−１乃至実施例１−５の中で特定の実施例が適用されることもできる。これについての詳細な説明は前述した実施例１−１乃至実施例１−５の内容と取り替える。
【０１５９】
ここで、該当の時点のＣＳＩ報告と連動した有効なＣＳＩ参照リソースの位置はｉ）ＳＩＢの上りリンク−下りリンク設定上の下りリンクサブフレーム及び／又はスペシャルサブフレーム（例えば、ＤｗＰＴＳ）のみを考慮して決定するように設定するか、ii）あるいは前もって定義された参照上りリンクＨＡＲＱタイムラインの上りリンク−下りリンク設定上の下りリンクサブフレーム及び／又はスペシャルサブフレーム（例えば、ＤｗＰＴＳ）のみを考慮して決定するように設定するか、iii ）あるいは前もって定義された参照下りリンクＨＡＲＱタイムラインの上りリンク−下りリンク設定上の下りリンクサブフレーム及び／又はスペシャルサブフレーム（例えば、ＤｗＰＴＳ）のみを考慮して決定するように設定するか、iv）あるいは（前もって定義された）静的リソース集合上の下りリンクサブフレーム及び／又はスペシャルサブフレーム（例えば、ＤｗＰＴＳ）のみを考慮して決定するように設定するか、ｖ）あるいは一番最近に受信成功した用途変更メッセージからその用途が決定される区間上の下りリンクサブフレーム及び／又はスペシャルサブフレーム（例えば、ＤｗＰＴＳ）のみを考慮して決定するように設定することができる。
【０１６０】
また、前述した実施例１−１乃至実施例１−４のいずれか一つの実施例に基づき、該当の時点のＣＳＩ報告と連動した有効なＣＳＩ参照リソースの位置を決定することは、ｉ）受信失敗した用途変更メッセージからその用途が決定される区間上でＳＩＢの上りリンク−下りリンク設定上の下りリンクサブフレーム及び／又はスペシャルサブフレーム（例えば、ＤｗＰＴＳ）でのみ限定的に通信が行われるように設定された場合、ii）あるいは前もって定義された参照上りリンクＨＡＲＱタイムラインの上りリンク−下りリンク設定上の下りリンクサブフレーム及び／又はスペシャルサブフレーム（例えば、ＤｗＰＴＳ））でのみ限定的に通信が行われるように設定された場合、iii ）あるいは前もって定義された参照下りリンクＨＡＲＱタイムラインの上りリンク−下りリンク設定上の下りリンクサブフレーム及び／又はスペシャルサブフレーム（例えば、ＤｗＰＴＳ）でのみ限定的に通信が行われるように設定された場合、iv）あるいは（前もって定義された）静的リソース集合上の下りリンクサブフレーム及び／又はスペシャルサブフレーム（例えば、ＤｗＰＴＳ）でのみ限定的に通信が行われるように設定された場合に効果的である。
【０１６１】
すなわち、基地局が端末が受信失敗した用途変更メッセージからその用途が決定される区間上で実際に行われる下りリンク通信と同一ないし類似した干渉特性の有効なＣＳＩ参照リソースに基づくＣＳＩ値を得ることができるからである。
【０１６２】
実施例１−１４
【０１６３】
本発明によれば、ＣＳＩ報告時点が受信失敗した用途変更メッセージからその用途が決定される区間上に属する場合、前述した実施例１−６乃至実施例１−９の中で特定の実施例が適用されることもできる。これについての詳細な説明は前述した実施例１−６乃至実施例１−９の内容と取り替える。
【０１６４】
例えば、ＣＳＩ報告時点が受信失敗した用途変更メッセージからその用途が決定される区間上に属する場合には、ｉ）該当のＣＳＩ報告を省略するか、ii）あるいは前もって定義された特定の値（例えば、ＲＩ／ＰＭＩ／ＣＱＩ）で該当のＣＳＩ報告を行うように設定されるか、iii ）あるいは一番最近に成功的に報告したＣＳＩ値で該当のＣＳＩ報告を行うように設定されるか、iv）あるいは一番最近に成功的に行われたＣＳＩ報告の有効なＣＳＩ参照リソースを（再び）用いて該当のＣＳＩ報告を行うように設定されるか、ｖ）あるいは受信失敗した用途変更メッセージからその用途が決定される区間上には有効なＣＳＩ参照リソースが存在しないと見なされるように設定することができる。
【０１６５】
用途変更メッセージが受信失敗した場合の非周期的ＣＳＩ報告
【０１６６】
また、本発明においては、有効なＣＳＩ参照リソースの位置が用途変更メッセージによって（再）設定された上りリンク−下りリンク設定上の下りリンクサブフレーム及び／又はスペシャルサブフレーム（例えば、ＤｗＰＴＳ）に基づいて決定されるように設定された状況（つまり、Ｏｐｔｉｏｎ ＃Ｄ）下で、特定の時点の用途変更メッセージが成功的に受信されない場合にＲＡＲグラント（Ｒａｎｄｏｍ  Ａｃｃｅｓｓ  Ｒｅｓｐｏｎｓｅ Ｇｒａｎｔ）上のＣＳＩ Ｒｅｑｕｅｓｔフィールドに基づく非周期的ＣＳＩ報告を安定的に保障する方法を提案する。しかし、本発明は有効なＣＳＩ参照リソースの位置決定に用いられる上りリンク−下りリンク設定に関する仮定がこれとは違う形態に定義された状況（例えば、Ｏｐｔｉｏｎ ＃Ａ、Ｏｐｔｉｏｎ ＃Ｂ、Ｏｐｔｉｏｎ ＃Ｃ）下で、特定の時点の用途変更メッセージが成功的に受信されない場合にも拡張適用することができるのは言うまでもない。
【０１６７】
ＲＡＲ Ｇｒａｎｔ上のＣＳＩ Ｒｅｑｕｅｓｔフィールドに基づく既存非周期的ＣＳＩ報告は、該当のＣＳＩ報告時点に前もって定義された値（例えば、４ｍｓあるいは５ｍｓ）以前の時点であるとともに前もって定義された有効なＣＳＩ参照リソースの条件を満たすサブフレームに基づいて行われる。しかし、用途変更メッセージの受信失敗によって該当の用途変更メッセージによって用途が決定されるサブフレームに対する用途が明確に把握されないことにより、該当の非周期的ＣＳＩ報告を（実際に）行うべきかに対する曖昧さ問題が発生するか、あるいは該当の非周期的ＣＳＩ報告と連動した有効なＣＳＩ参照リソースの位置をどのに決定するかに対する曖昧さ問題が発生するか、あるいはどの上りリンク−下りリンク設定に関する仮定に基づいて該当の非周期的ＣＳＩ報告の有効なＣＳＩ参照リソース位置を決定すべきかに対する曖昧さ問題などが発生することになる。
【０１６８】
したがって、ＲＡＲ Ｇｒａｎｔ上のＣＳＩ Ｒｅｑｕｅｓｔフィールドに基づく非周期的ＣＳＩ報告を安定的に保障するため（該当の非周期的ＣＳＩ報告と連動した）有効なＣＳＩ参照リソースの位置決定に用いられる上りリンク−下りリンク設定に関する仮定と有効なＣＳＩ参照リソースの条件を満たすサブフレームが以下の実施例１−１５乃至実施例１−１８のように設定することができる。
【０１６９】
実施例１−１５
【０１７０】
本発明によれば、ＲＡＲ Ｇｒａｎｔ上のＣＳＩ Ｒｅｑｕｅｓｔフィールドに基づく非周期的ＣＳＩ報告は、ｉ）該当の非周期的ＣＳＩ報告時点から前もって定義された値を含んで以前の時点であるとともに前もって定義された有効なＣＳＩ参照リソースの条件を満たす一番近いサブフレームに基づいて行われるように設定されるか、ii）あるいは該当の非周期的ＣＳＩ報告をトリガーさせるＲＡＲ Ｇｒａｎｔ上のＣＳＩ Ｒｅｑｕｅｓｔフィールドが受信されるサブフレームであるとともに前もって定義された有効なＣＳＩ参照リソースの条件を満たすサブフレームに基づいて行われるように設定することができる。
【０１７１】
ここで、該当の非周期的ＣＳＩ報告と連動した有効なＣＳＩ参照リソースの位置決定に用いられる上りリンク−下りリンク設定に関する仮定及び有効なＣＳＩ参照リソースの条件は、前述した実施例１−１乃至実施例１−５の中で一つの実施例が適用可能である。これについての詳細な説明は前述した実施例１−１乃至実施例１−５の内容と取り替える。
【０１７２】
例えば、ｉ）非周期的ＣＳＩ報告と連動した有効なＣＳＩ参照リソースの位置をＳＩＢの上りリンク−下りリンク設定上の下りリンクサブフレーム及び／又はスペシャルサブフレーム（例えば、ＤｗＰＴＳ）のみを考慮して決定するように設定するか、ii）あるいは前もって定義された参照上りリンクＨＡＲＱタイムラインの上りリンク−下りリンク設定上の下りリンクサブフレーム及び／又はスペシャルサブフレーム（例えば、ＤｗＰＴＳ）のみを考慮して決定するように設定するか、iii ）あるいは前もって定義された参照下りリンクＨＡＲＱタイムラインの上りリンク−下りリンク設定上の下りリンクサブフレーム及び／又はスペシャルサブフレーム（例えば、ＤｗＰＴＳ）のみを考慮して決定するように設定するか、iv）あるいは（前もって定義された）静的リソース集合上の下りリンクサブフレーム及び／又はスペシャルサブフレーム（例えば、ＤｗＰＴＳ）のみを考慮して決定するように設定するか、ｖ）あるいは一番最近に受信成功した用途変更メッセージからその用途が決定される区間上の下りリンクサブフレーム（及び／又はスペシャルサブフレーム（例えば、ＤｗＰＴＳ））のみを考慮して決定するように設定することができる。
【０１７３】
実施例１−１６
【０１７４】
本発明によれば、前述した実施例１−６乃至実施例１−９の中で一つの実施例が適用可能である。例えば、ＲＡＲ Ｇｒａｎｔ上のＣＳＩ Ｒｅｑｕｅｓｔフィールドに基づく非周期的ＣＳＩ報告と連動した有効なＣＳＩ参照リソースの位置が受信失敗した用途変更メッセージからその用途が決定される区間上に属する場合には、ｉ）該当の非周期的ＣＳＩ報告を省略するか、ii）あるいは前もって定義された特定の値（例えば、ＲＩ／ＰＭＩ／ＣＱＩ）で該当の非周期的ＣＳＩ報告を行うように設定するか、iii ）あるいは一番最近に成功的に報告した非周期的ＣＳＩ値該当の非周期的ＣＳＩ報告を行うように設定するか、iv）あるいは一番最近に成功的に行われた非周期的ＣＳＩ報告の有効なＣＳＩ参照リソースを（再び）用いて該当の非周期的ＣＳＩ報告を行うように設定するか、ｖ）あるいは受信失敗した用途変更メッセージからその用途が決定される区間上には有効なＣＳＩ参照リソースが存在しないと見なされるように設定することができる。
【０１７５】
実施例１−１７
【０１７６】
本発明によれば、ＲＡＲ Ｇｒａｎｔ上のＣＳＩ Ｒｅｑｕｅｓｔフィールドに基づく非周期的ＣＳＩ報告は、該当の非周期的ＣＳＩ報告時点から前もって定義された値以前の時点であるとともに前もって定義された有効なＣＳＩ参照リソースの条件を満たすサブフレームに基づいて行われるように設定することができる。
【０１７７】
また、この実施例１−１７においては、該当の非周期的ＣＳＩ報告時点から前もって定義された値以前のサブフレームが（前もって定義された）有効なＣＳＩ参照リソースの条件を満たすことができないときには、該当の非周期的ＣＳＩ報告を省略するように設定することができる。
【０１７８】
ここで、該当の非周期的ＣＳＩ報告と連動した有効なＣＳＩ参照リソースの位置決定に用いられる上りリンク−下りリンク設定に関する仮定及び有効なＣＳＩ参照リソースの条件は前述した実施例１−１乃至実施例１−５の中で一つの実施例によることができる。これについての詳細な説明は前述した実施例１−１乃至実施例１−５の内容と取り替える。
【０１７９】
具体的に、該当の非周期的ＣＳＩ報告と連動した有効なＣＳＩ参照リソース（位置）は、ｉ）ＳＩＢの上りリンク−下りリンク設定上の下りリンクサブフレーム及び／又はスペシャルサブフレーム（例えば、ＤｗＰＴＳ）のみを考慮して決定するように設定されるか、ii）あるいは前もって定義された参照上りリンクＨＡＲＱタイムラインの上りリンク−下りリンク設定上の下りリンクサブフレーム及び／又はスペシャルサブフレーム（例えば、ＤｗＰＴＳ）のみを考慮して決定するように設定するか、iii ）あるいは前もって定義された参照下りリンクＨＡＲＱタイムラインの上りリンク−下りリンク設定上の下りリンクサブフレーム及び／又はスペシャルサブフレーム（例えば、ＤｗＰＴＳ）のみを考慮して決定するように設定するか、iv）あるいは（前もって定義された）静的リソース集合上の下りリンクサブフレーム及び／又はスペシャルサブフレーム（例えば、ＤｗＰＴＳ）のみを考慮して決定するように設定するか、ｖ）あるいは一番最近に受信成功した用途変更メッセージからその用途が決定される区間上の下りリンクサブフレーム及び／又はスペシャルサブフレーム（例えば、ＤｗＰＴＳ）のみを考慮して決定するように設定することができる。
【０１８０】
実施例１−１８
【０１８１】
本発明において、前述した本発明の実施例１−１５乃至１−１７の少なくとも一つは、ＲＡＲ Ｇｒａｎｔ上のＣＳＩ Ｒｅｑｕｅｓｔフィールドに基づく非周期的ＣＳＩ報告が、ｉ）図９の一部の場合（つまり、ＣａｓｅｓＡ、Ｂ、Ｃ及びＤのいずれか）に当たるときにのみ限定的に適用されるように設定するか、ii）あるいは図９のすべての場合（つまり、Ｃａｓｅ Ａ、Ｃａｓｅ Ｂ、Ｃａｓｅ Ｃ、Ｃａｓｅ Ｄ）に適用されるように設定することもできる。
【０１８２】
＜第２実施例＞
【０１８３】
本発明の第２実施例によれば、前もって定義された設定／規則に基づき、特定の時点のＣＳＩ報告と連動した有効なＣＳＩ参照リソースの位置を決定／探索する場合に前もって定義された時間範囲（Ｔｉｍｅ Ｗｉｎｄｏｗ）内でのみ行われるように設定することができる。例えば、前もって定義されたｉ）ＣＳＩ報告と連動した有効なＣＳＩ参照リソースの位置を決定する設定、ii）有効なＣＳＩ参照リソースと考慮されるために満たさなければならない条件に対する設定、iii ）有効なＣＳＩ参照リソースの位置決定に用いられる上りリンク−下りリンク設定（あるいはリソース用途設定情報）に関する仮定に対する設定の少なくとも一つに基づいて特定の時点のＣＳＩ報告と連動した有効なＣＳＩ参照リソースの位置を決定／探索する場合に前もって定義された時間範囲（Ｔｉｍｅ Ｗｉｎｄｏｗ）内でのみ行われるように設定することができる。
【０１８４】
また、このような方法は、特に、ＬＴＥシステムがＷｉＦｉ帯域上の特定のチャネル（例えば、Ｕｎｌｉｃｅｎｓｅｄ Ｂａｎｄ）を（センシングに基づいて）非周期的（あるいは不規則な区間（ＴｘＯＰ）長さ）に占有して（再び）用いる場合、特定の時点で報告されるＵｎｌｉｃｅｎｓｅｄ Ｂａｎｄ関連ＣＳＩ報告の（Ｕｎｌｉｃｅｎｓｅｄ Ｂａｎｄ上の）有効なＣＳＩ参照リソースの位置が過度に過去の時点に設定されることにより、不正確（あるいはＯｕｔｄａｔｅｄ）なＣＳＩ報告が行われることを防止するためにも用いられることができる。ここで、一例として、Ｕｎｌｉｃｅｎｓｅｄ Ｂａｎｄ関連の有効なＣＳＩ参照リソースはセンシングに基づいて設定されたＴｘＯＰ区間内（例えば、ＤＬＳＦ）でのみ限定的に存在すると定義されることができ、端末は該当の区間内で有効なＣＳＩ参照リソースを探索することになる。
【０１８５】
さらに、このような方法はＦａｌｌｂａｃｋ ＭｏｄｅだけでなくＮｏｎ−ｆａｌｌｂａｃｋ Ｍｏｄｅの状況でも拡張適用することができる。
【０１８６】
ここで、一例として該当の時間範囲の開始点（Ｓｔａｒｔｉｎｇ Ｐｏｉｎｔ ｏｆ Ｔｉｍｅ Ｗｉｎｄｏｗ）（以下、「ＴＷ＿ＳＴＡＲＴ」）は、ｉ）ＣＳＩ報告時点、ii）あるいはＣＳＩ報告時点から前もって定義された値（例えば、４ｍｓあるいは５ｍｓ）以前のサブフレーム、iii ）あるいはＣＳＩ報告をトリガーさせるＣＳＩ Ｒｅｑｕｅｓｔフィールドが受信されるサブフレーム、iv）あるいはＣＳＩ報告時点から前もって定義された値以前の時点であるとともに前もって定義された有効なＣＳＩ参照リソースの条件を満たすサブフレーム、ｖ）あるいはＣＳＩ報告時点から前もって定義された値を含んで以前の時点であるとともに前もって定義された有効なＣＳＩ参照リソースの条件を満たす一番近いサブフレーム、vi）あるいはＣＳＩ報告をトリガーさせるＣＳＩ Ｒｅｑｕｅｓｔフィールドが受信されるサブフレームであるとともに前もって定義された有効なＣＳＩ参照リソースの条件を満たすサブフレームの一つに設定することができる。
【０１８７】
また、時間範囲の大きさ（Ｔｉｍｅ Ｗｉｎｄｏｗ Ｓｉｚｅ）（以下、「ＴＷ＿ＳＩＺＥ」）は前もって定義された時間範囲の開始点から特定の時点のＣＳＩ報告と連動した有効なＣＳＩ参照リソースの位置を探索／導出することになる（総）区間を決定することになる。よって、前述した時間範囲の開始点（つまり、「ＴＷ＿ＳＴＡＲＴ」）と時間範囲の大きさ（つまり、「ＴＷ＿ＳＩＺＥ」）によって特定の時点のＣＳＩ報告と連動した有効なＣＳＩ参照リソースの位置は「ＴＷ＿ＳＴＡＲＴから（ＴＷ＿ＳＴＡＲＴ−ＴＷ＿ＳＩＺＥ）までの区間」内で探索／導出することになる。
【０１８８】
また、基地局は端末に前もって定義されたシグナル（例えば、物理階層シグナルあるいは上位階層シグナル）によって時間範囲の開始点についての情報及び／又は時間範囲の大きさについての情報を知らせるように設定することができる。又は、端末が前もって定義された設定／規則に基づいて時間範囲の開始点及び／又は時間範囲の大きさを暗黙的に把握するように設定することもできる（例えば、時間範囲の大きさは時間範囲の開始点から以前の一番近いラジオフレーム（Ｒａｄｉｏ Ｆｒａｍｅ）上の第1サブフレームまでに暗黙的に定義されるように設定することができる）。
【０１８９】
＜第３実施例＞
【０１９０】
前述した本発明の第１実施例あるいは第２実施例に開示された少なくとも一つの方法／実施例／設定は前もって定義された一部の場合にのみ限定的に適用されるように設定するか、一部のパラメーターにのみ限定的に適用されるように設定することができる。この第３実施例によって、第１実施例あるいは第２実施例開示された少なくとも一つの方法／実施例／設定が適用される場合は以下のようである。
【０１９１】
−本発明の実施例は、特定のＣＳＩ報告方法（例えば、周期的ＣＳＩ報告あるいは非周期的ＣＳＩ報告）が設定されるかトリガーされた場合にのみ限定的に適用されるように設定することができる。
【０１９２】
−本発明の実施例は、特定のＣＳＩ報告モード（例えば、周期的ＣＳＩ報告であるＰＵＣＣＨ Ｒｅｐｏｒｔｉｎｇ Ｍｏｄｅあるいは非周期的ＣＳＩ報告であるＰＵＳＣＨ Ｒｅｐｏｒｔｉｎｇ Ｍｏｄｅ）が設定された場合にのみ限定的に適用されるように設定することができる。ここで、ＰＵＣＣＨ Ｒｅｐｏｒｔｉｎｇ Ｍｏｄｅは、例えば、Ｍｏｄｅ １−０、Ｍｏｄｅ １−１、Ｍｏｄｅ ２−０、Ｍｏｄｅ ２−１であることができ、ＰＵＳＣＨ Ｒｅｐｏｒｔｉｎｇ Ｍｏｄｅは、例えば、Ｍｏｄｅ １−２、Ｍｏｄｅ ２−０、Ｍｏｄｅ ２−２、Ｍｏｄｅ ３−０、Ｍｏｄｅ ３−１であることができる。
【０１９３】
−本発明の実施例は、有効なＣＳＩ参照リソースの条件が、ＭＢＳＦＮサブフレームではない下りリンクサブフレーム及び／又はスペシャルサブフレーム（例えば、ＤｗＰＴＳ）に設定された場合にのみ限定的に適用されるように設定することができる。
【０１９４】
−本発明の実施例は、特定の送信モード（ＴＭ）が設定された場合及び／又は特定のスペシャルサブフレーム設定（Ｃｏｎｆｉｇｕｒａｔｉｏｎ）が指定された場合にのみ限定的に適用されるように設定することができる。
【０１９５】
−本発明の実施例は、流動リソース集合上の下りリンクサブフレーム及び／又はスペシャルサブフレーム（例えば、ＤｗＰＴＳ）で前もって定義された参照信号（例えば、ＣＲＳあるいはＣＳＩ−ＲＳ）の送信有無によって限定的に適用されるように設定することができる。すなわち、特定の制御チャネル（例えば、ＰＤＣＣＨ）の送信可否あるいは特定の送信モード（Ｔｒａｎｓｍｉｓｓｉｏｎ ｍｏｄｅ（ＴＭ））の設定可否が決定されることによって限定的に適用可能である。
【０１９６】
−本発明の実施例は、流動リソース集合上の下りリンクサブフレーム及び／又はスペシャルサブフレーム（例えば、ＤｗＰＴＳ）で適用される送信モード（ＴＭ）設定種類によって限定的に適用されるように設定することができる。例えば、ＣＲＳに基づく下りリンクデータチャネル（ＰＤＳＣＨ）デコーディングが要求される送信モード（例えば、ＴＭ４）が設定された場合にのみ限定的に適用可能である。
【０１９７】
−本発明の実施例は特定の個数のＣＳＩプロセスが設定された場合にのみ限定的に適用されるように設定することができる。
【０１９８】
−本発明の実施例は特定のシステム環境（例えば、ＦＤＤシステムあるいはＴＤＤシステム）でのみ限定的に適用されるように設定することができる。
【０１９９】
−本発明の実施例は端末のＲＲＣ＿ＣＯＮＮＥＣＴＥＤモードあるいはＩＤＬＥモードでのみ限定的に適用されるように設定することができる。
【０２００】
−本発明の実施例は無線リソース用途の動的変更モードが設定された場合にのみ限定的に適用されるように設定することができる。
【０２０１】
−本発明の実施例は基地局が端末から用途変更メッセージの受信成功可否に対するフィードバックを受けるように設定された場合にのみ限定的に適用されるように設定することができる。
【０２０２】
−本発明の実施例は搬送波集成技法（ＣＡ）が適用された環境下で無線リソース用途の動的変更モードが設定された特定のコンポーネントキャリア（ＣＣ）あるいは特定のセル（Ｃｅｌｌ））（例えば、ＰＣｅｌｌあるいはＳＣｅｌｌ）にのみ限定的に適用されるように設定することができる。
【０２０３】
前述した本発明の実施例は独立的に具現されることもできるが、少なくとも一つの実施例が組合せ／併合の形態に具現されることもできる。
【０２０４】
また、前述した本発明の規則／設定／実施例に対する情報あるいは該当の規則／設定／実施例の適用可否についての情報などは基地局が端末に前もって定義されたシグナル（例えば、物理階層あるいは上位階層シグナル）によって知らせることができる。
【０２０５】
また、前述した本発明の実施例は、互いに異なる干渉特性のリソース集合（例えば、静的（下りリンク）リソース集合あるいは流動（下りリンク）リソース集合）別に独立的なＣＳＩ報告設定、つまり、ｉ）ＣＳＩ報告モード、ii）あるいはＣＳＩ報告方法、iii ）あるいは周期的ＣＳＩ報告関連周期及びサブフレームオフセットパラメーターなどが定義された場合の少なくとも一場合にも拡張適用が可能である。ここで、ＣＳＩ報告モードの例としては、周期的ＣＳＩ報告であるＰＵＣＣＨ Ｒｅｐｏｒｔｉｎｇ Ｍｏｄｅ（つまり、Ｍｏｄｅ １−０、Ｍｏｄｅ １−１、Ｍｏｄｅ ２−０、Ｍｏｄｅ ２−１）あるいは非周期的ＣＳＩ報告であるＰＵＳＣＨ Ｒｅｐｏｒｔｉｎｇ Ｍｏｄｅ（つまり、Ｍｏｄｅ １−２、Ｍｏｄｅ ２−０、Ｍｏｄｅ ２−２、Ｍｏｄｅ ３−０、Ｍｏｄｅ ３−１）がある。また、ＣＳＩ報告方法の例は周期的ＣＳＩ報告あるいは非周期的ＣＳＩ報告があり、周期的ＣＳＩ報告関連周期及びサブフレームオフセットパラメーターなどが定義された場合の例としては、Ｒｅｓｏｕｒｃｅ−Ｓｐｅｃｉｆｉｃ ＣＳＩ ＭｅａｓｕｒｅｍｅｎｔあるいはＲｅｓｔｒｉｃｔｅｄ ＣＳＩ Ｍｅａｓｕｒｅｍｅｎｔが挙げられる。
【０２０６】
また、本発明の実施例による特定のリソース集合と連動したＣＳＩ報告の有効なＣＳＩ参照リソース条件は、ｉ）特定のリソース集合上の下りリンクサブフレーム及び／又はスペシャルサブフレーム（例えば、ＤｗＰＴＳ）で（再）解釈／（再）限定されるか、ii）有効なＣＳＩ参照リソースの位置決定に用いられる上りリンク−下りリンク設定に関する仮定上の下りリンクサブフレーム及び／又はスペシャルサブフレーム（例えば、ＤｗＰＴＳ）中に該当の特定のリソース集合に含まれるサブフレーム）で（再）解釈／（再）限定されることができる。
【０２０７】
また、前述した本発明の実施例は、ＬＴＥシステムがＷｉＦｉ帯域上の特定のチャネル（つまり、Ｕｎｌｉｃｅｎｓｅｄ Ｂａｎｄ）を（センシングに基づいて）非周期的（あるいは不規則な区間（ＴｘＯＰ）長さ）に占有して（再び）用いる場合にも拡張適用が可能である。
【０２０８】
＜第４実施例＞
【０２０９】
本発明の第４実施例においては、無線リソースの用途がシステムの負荷状態によって動的に変更される場合、端末がチャネル状態情報（Ｃｈａｎｎｅｌ Ｓｔａｔｅ Ｉｎｆｏｒｍａｔｉｏｎ、ＣＳＩ）を効率的に推定及び送信するようにする方法を説明する。ここで、チャネル状態情報（ＣＳＩ）は周期的チャネル状態情報（Ｐｅｒｉｏｄｉｃ ＣＳＩ、Ｐ−ＣＳＩ）及び／又は非周期的チャネル状態情報（Ａｐｅｒｉｏｄｉｃ ＣＳＩ、Ａ−ＣＳＩ））を意味し、本発明の実施例は、Ｐ−ＣＳＩが上りリンク制御チャネル（ＰＵＣＣＨ）を通じて送信される場合及び／又はＰ−ＣＳＩが上りリンクデータチャネル（ＰＵＳＣＨ）にピギーバック（Ｐｉｇｇｙｂａｃｋ）されて送信される場合及び／又はＡ−ＣＳＩが上りリンクデータチャネル（ＰＵＳＣＨ）を通じて送信される場合などに拡張適用することができる。
【０２１０】
以下では説明の便宜のために３ＧＰＰ ＬＴＥシステムに基づいて本発明の実施例を説明する。しかし、本発明が適用されるシステムの範囲は３ＧＰＰ ＬＴＥシステムの外に他のシステムにも拡張可能である。本発明の実施例は、搬送波集成技法（Ｃａｒｒｉｅｒ Ａｇｇｒｅｇａｔｉｏｎ、ＣＡ）が適用された環境下で特定のセル（Ｃｅｌｌ）（あるいはコンポーネントキャリア（Ｃｏｍｐｏｎｅｎｔ Ｃａｒｒｉｅｒ、ＣＣ））上のリソース用途をシステムの負荷状態によって動的に変更する場合にも拡張適用可能である。また、本発明の実施例は、ＴＤＤシステムあるいはＦＤＤシステム下で無線リソースの用途を動的に変更する場合にも拡張適用可能である。
【０２１１】
端末は、基地局が送信する用途変更メッセージ（Ｒｅｃｏｎｆｉｇｕｒａｔｉｏｎ Ｍｅｓｓａｇｅ）を成功的に受信することができなかったとき、ＳＩＢ１上の上りリンク−下りリンク設定（ＵＬ−ＤＬ Ｃｏｎｆｉｇｕｒａｔｉｏｎ）に基づき、ｉ）チャネル測定（ＣＳＩ Ｍｅａｓｕｒｅｍｅｎｔ）動作、ii）下りリンク制御チャネル（ＰＤＣＣＨ）モニタリング動作、iii ）下りリンクデータチャネル（ＰＤＳＣＨ）受信動作、iv）上りリンクデータチャネル（ＰＵＳＣＨ）送信動作の少なくとも一つが設定することができる。
【０２１２】
ここで、チャネル測定動作は、端末が再設定（ｒｅｃｏｎｆｉｇｕｒａｔｉｏｎ）のための明示的Ｌ１シグナリングをデコードし、有効な（ｖａｌｉｄ）上りリンク−下りリンク設定を検出した場合、端末は再設定のための明示的Ｌ１シグナリングによって下りリンクサブフレームあるいはスペシャルサブフレームに指示されたサブフレーム内でのみＣＳＩを測定する。端末が無線フレームに対して有効な上りリンク−下りリンク設定を伝達するＬ１シグナリングを検出することができなかった場合、端末はＳＩＢ設定によって下りリンクサブフレームあるいはスペシャルサブフレームに指示されたサブフレーム内でのみＣＳＩを測定することができる。また、ＰＤＣＣＨあるいはＰＤＳＣＨ受信動作について説明すれば、端末が無線フレームに対して有効な上りリンク−下りリンク設定を伝達するＬ１シグナリングを検出した場合、端末は明示的Ｌ１シグナリングによって指示されたｎｏｎ−ＤＲＸ下りリンクサブフレームあるいはスペシャルサブフレームをモニタリングする。端末が無線フレームに対して有効な上りリンク−下りリンク設定を伝達するＬ１シグナリングを検出することができなかった場合、端末はＳＩＢ−１設定によって指示されたＰＤＣＣＨあるいはＥＰＤＣＣＨのためのｎｏｎ−ＤＲＸ下りリンクサブフレームあるいはスペシャルサブフレームをモニタリングする。
【０２１３】
ここで、有効な上りリンク−下りリンク設定を説明すれば、下りリンクＨＡＲＱ参照設定はＲｅｌ−８ＴＤＤ上りリンク−下りリンク設定｛２、４、５｝で選択されることができる。ＴＤＤ ｅＩＭＴＡ（Ｆｕｒｔｈｅｒ Ｅｎｈａｎｃｅｍｅｎｔｓ ｔｏ ＬＴＥ Ｔｉｍｅ Ｄｉｖｉｓｉｏｎ Ｄｕｐｌｅｘ（ＴＤＤ） ｆｏｒ Ｄｏｗｎｌｉｎｋ−Ｕｐｌｉｎｋ Ｉｎｔｅｒｆｅｒｅｎｃｅ Ｍａｎａｇｅｍｅｎｔ ａｎｄ Ｔｒａｆｆｉｃ Ａｄａｐｔａｔｉｏｎ）が設定された端末に対し、上りリンクスケジューリングタイミング及びＨＡＲＱタイミングはＳＩＢ１を通じてシグナルされた上りリンク−下りリンクの設定による。有効な上りリンクＨＡＲＱ参照設定あるいは下りリンクＨＡＲＱ参照設定下で、端末は下りリンクＨＡＲＱ参照設定上の上りリンクサブフレームあるいはスペシャルサブフレームを下りリンクサブフレームとして動的に使われないと見なすか、あるいは上りリンクＨＡＲＱ参照設定上の下りリンクサブフレームあるいはスペシャルサブフレームを上りリンクサブフレームとして動的に使われないと見なすことができる。
【０２１４】
また、上りリンクグラント有効性判断（ＵＬ ｇｒａｎｔ ｖａｌｉｄａｔｉｏｎ）について説明する。フォールバックモード下で、下りリンクＨＡＲＱ参照設定（ＤＬ ＨＡＲＱ ｒｅｆｅｒｅｎｃｅ ｃｏｎｆｉｇｕｒａｔｉｏｎ）別上りリンクサブフレームの集合に含まれず、ＳＩＢ１別の少なくとも一つの上りリンクサブフレームに対応する上りリンクグラントを端末が受信した場合、端末はこれを有効な制御情報（ｖａｌｉｄ ｇｒａｎｔ）と判断することができる。しかし、下りリンクＨＡＲＱ参照設定（ＤＬ ＨＡＲＱ ｒｅｆｅｒｅｎｃｅ ｃｏｎｆｉｇｕｒａｔｉｏｎ）別上りリンクサブフレームの集合に含まれず、ＳＩＢ１別上りリンクサブフレーム内のＰＵＳＣＨ送信をトリガーするＰＨＩＣＨ上でＮＡＣＫを受信すれば、端末はＰＵＳＣＨを送信する。また、ＳＲＳ送信有効性判断（ＳＲＳ ｔｒａｎｓｍｉｓｓｉｏｎ ｖａｌｉｄａｔｉｏｎ）について説明する。タイプ１のＳＲＳに対し、トリガーされたときのタイプ１のＳＲＳの送信が予定されたサブフレームの決定はＳＩＢ１に基づく。タイプ０のＳＲＳあるいはタイプ１のＳＲＳの両方に対し、ＳＲＳ送信は上りリンクサブフレームあるいはＳＩＢ１に基づくＵｐＰＴＳ上に設定することができる。
【０２１５】
すなわち、前述したｉ）乃至iv）動作を「フォールバック動作（Ｆａｌｌｂａｃｋ Ｏｐｅｒａｔｉｏｎ）（あるいはフォールバックモード（Ｆａｌｌｂａｃｋ Ｍｏｄｅ））」という。これにより、基地局は、ｉ）用途変更メッセージを成功的に受信することができなかった端末（例えば、制御チャネル（ＰＤＣＣＨ／ＥＰＤＣＣＨ）誤検出（Ｆａｌｓｅ Ｄｅｔｅｃｔｉｏｎ））によって発生する干渉（Ｉｎｔｅｒｆｅｒｅｎｃｅ）が他の端末と基地局の間の通信（あるいはレガシー（Ｌｅｇａｃｙ）端末と基地局の間の通信）に及ぼす被害を最小化するか、ii）用途変更メッセージを成功的に受信することができなかった端末の誤動作（例えば、下りリンクＨＡＲＱバッファー運営エラー（ＤＬ ＨＡＲＱ Ｂｕｆｆｅｒ ｃｏｒｒｕｐｔｉｏｎ））を最小化することができる。
【０２１６】
まず、異なった特性の干渉に対する分離されたＣＳＩ／干渉測定（ＣＳＩ／Ｉｎｔｅｒｆｅｒｅｎｃｅ Ｍｅａｓｕｒｅｍｅｎｔ）動作を行うようにする方法について、多数のＣＳＩ測定サブフレーム集合（ＣＳＩ Ｍｅａｓｕｒｅｍｅｎｔ Ｓｕｂｆｒａｍｅ Ｓｅｔ）を設定する方案を中心に説明する（ＣＳＩ／干渉測定オプション＃Ａ）。
【０２１７】
一例として、サービングセル（Ｓｅｒｖｉｎｇ  Ｃｅｌｌ）は、端末（ｅＩＭＴＡ ＵＥ）に無線リソース用途の動的変更動作を行う隣接セル（Ｎｅｉｇｈｂｏｒ Ｃｅｌｌ、例えば、Ｄｏｍｉｎａｎｔ Ｉｎｔｅｒｆｅｒｉｎｇ Ｃｅｌｌ）から入る異なった特性の干渉を考慮し、Ｒｅｓｏｕｒｃｅ−Ｒｅｓｔｒｉｃｔｅｄ ＣＳＩ Ｍｅａｓｕｒｅｍｅｎｔ動作を設定するか、あるいはＲｅｓｏｕｒｃｅ−Ｓｐｅｃｉｆｉｃ ＣＳＩ Ｍｅａｓｕｒｅｍｅｎｔ動作を設定することができる。ここで、Ｒｅｓｏｕｒｃｅ−Ｒｅｓｔｒｉｃｔｅｄ ＣＳＩ Ｍｅａｓｕｒｅｍｅｎｔ動作の適用可否はＣＳＩプロセス単位あるいはセル（Ｃｅｌｌ）単位に設定され、そして該当のＲｅｓｏｕｒｃｅ−Ｒｅｓｔｒｉｃｔｅｄ ＣＳＩ Ｍｅａｓｕｒｅｍｅｎｔ動作は（一つの）ＣＳＩプロセスあるいはセル上に（最大）二つのＣＳＩ測定サブフレーム集合（ＣＳＩ Ｍｅａｓｕｒｅｍｅｎｔ Ｓｕｂｆｒａｍｅ Ｓｅｔ）をシグナリング／設定することによって具現される。また、該当のＣＳＩ測定サブフレーム集合設定は、ＣＳＩプロセスの間あるいはセルの間に共通して仮定／設定／シグナルされることができるが、互いに異なるように設定／シグナルされることもできる。
【０２１８】
さらに、端末（ｅＩＭＴＡ ＵＥ）にＲｅｓｏｕｒｃｅ−Ｒｅｓｔｒｉｃｔｅｄ ＣＳＩ Ｍｅａｓｕｒｅｍｅｎｔ動作のための二つのＣＳＩ測定サブフレーム集合（ＣＳＩ Ｍｅａｓｕｒｅｍｅｎｔ Ｓｕｂｆｒａｍｅ Ｓｅｔ）が設定されれば、一つのＣＳＩプロセス（つまり、一つの（Ｎｏｎ−ｚｅｒｏ Ｐｏｗｅｒ）ＣＳＩ−ＲＳ Ｒｅｓｏｕｒｃｅを有する）上に二つの干渉測定リソース（ＣＳＩ−Ｉｎｔｅｒｆｅｒｅｎｃｅ Ｍｅａｓｕｒｅｍｅｎｔ （ＣＳＩ−ＩＭ） Ｒｅｓｏｕｒｃｅｓ）がシグナルされるように設定（つまり、表７参照）されることができる。また、一例として、それぞれのＣＳＩ−ＩＭ Ｒｅｓｏｕｒｃｅは個別ＣＳＩ測定サブフレーム集合（ＣＳＩ Ｍｅａｓｕｒｅｍｅｎｔ Ｓｕｂｆｒａｍｅ Ｓｅｔ）とリンク（Ｌｉｎｋ）されるように設定することができる。このような方法は、無線リソース用途の動的変更モード（ｅＩＭＴＡ Ｍｏｄｅ）が設定することができる端末のＣＳＩプロセスの個数設定に対する最小能力（Ｍｉｎｉｍｕｍ Ｃａｐａｂｉｌｉｔｙ）を１と仮定すると解釈することもできる。さらに、以下の表７上に記述された方法（つまり、Ｏｐｔｉｏｎ ＃１、Ｏｐｔｉｏｎ ＃２、Ｏｐｔｉｏｎ ＃３）は単独で適用されるかあるいは一部組合せられた形態に適用可能である。
【０２１９】
【表７】
0006629745.tif 000011
【０２２０】
さらに、説明の便宜のために二つのＣＳＩ測定サブフレーム集合（ＣＳＩ Ｍｅａｓｕｒｅｍｅｎｔ Ｓｕｂｆｒａｍｅ Ｓｅｔ）をそれぞれ「ＣＳＩ Ｍｅａｓｕｒｅｍｅｎｔ ＳＦ Ｓｅｔ ０（つまり、ＣCSI、0）」、「ＣＳＩ Ｍｅａｓｕｒｅｍｅｎｔ ＳＦ Ｓｅｔ ＃１（つまり、ＣCSI、1）」という。ここで、ＣＳＩ Ｍｅａｓｕｒｅｍｅｎｔ ＳＦ Ｓｅｔ ＃０（つまり、ＣCSI、0）はそれぞれ無線リソース用途の動的変更動作を行う隣接セルから相対的に静的（Ｓｔａｔｉｃ）である特性の干渉（あるいは固定された（Ｆｉｘｅｄ）特性の干渉）が入るサブフレーム集合、ＣＳＩ Ｍｅａｓｕｒｅｍｅｎｔ ＳＦ Ｓｅｔ ＃１（つまり、ＣCSI、1）は相対的に動的（Ｖａｒｉａｎｔ）である特性の干渉が入るサブフレーム集合を考慮して設定することができる。
【０２２１】
具体的に、無線リソース用途の動的変更動作を行う隣接セルが相対的に静的な特性（あるいは固定された特性）の干渉を発生させるサブフレーム集合は、該当の隣接セルが静的な用途（あるいは固定された用途）に使用するサブフレーム集合（例えば、ＳＩＢ１に基づく上りリンク−下りリンク設定上の下りリンクサブフレーム／スペシャルサブフレーム集合、あるいはＵＬ ＨＡＲＱ Ｒｅｆｅｒｅｎｃｅ Ｃｏｎｆｉｇｕｒａｔｉｏｎ上の下りリンクサブフレーム／スペシャルサブフレーム集合、あるいはＤＬ ＨＡＲＱ Ｒｅｆｅｒｅｎｃｅ Ｃｏｎｆｉｇｕｒａｔｉｏｎ上の上りリンクサブフレーム／スペシャルサブフレーム集合の少なくとも一つ）となることができる。
【０２２２】
一方、相対的に動的な特性の干渉を発生させるサブフレーム集合は、該当の隣接セルが用途変更を行うサブフレーム集合となることができる。例えば、ＳＩＢ１に基づく上りリンク−下りリンク設定上の上りリンクサブフレーム／スペシャルサブフレームあるいはＵＬ ＨＡＲＱ Ｒｅｆｅｒｅｎｃｅ Ｃｏｎｆｉｇｕｒａｔｉｏｎ上の下りリンクサブフレーム／スペシャルサブフレームの中で、ＤＬ ＨＡＲＱ Ｒｅｆｅｒｅｎｃｅ Ｃｏｎｆｉｇｕｒａｔｉｏｎ上の上りリンクサブフレーム／スペシャルサブフレームを除いた残りの上りリンクサブフレーム／スペシャルサブフレームとなることができる。他の例として、ＤＬ ＨＡＲＱ Ｒｅｆｅｒｅｎｃｅ Ｃｏｎｆｉｇｕｒａｔｉｏｎ上の下りリンクサブフレーム／スペシャルサブフレームの中で、ＳＩＢ１に基づく上りリンク−下りリンク設定（ＵＬ−ＤＬ Ｃｏｎｆｉｇｕｒａｔｉｏｎ）上の下りリンクサブフレーム／スペシャルサブフレームあるいはＵＬ ＨＡＲＱ Ｒｅｆｅｒｅｎｃｅ Ｃｏｎｆｉｇｕｒａｔｉｏｎ上の下りリンクサブフレーム／スペシャルサブフレームを除いた残りの下りリンクサブフレーム／スペシャルサブフレームとなることもできる。
【０２２３】
また、ＣＳＩ Ｍｅａｓｕｒｅｍｅｎｔ ＳＦ Ｓｅｔ ＃０（つまり、ＣCSI、0）とＣＳＩ Ｍｅａｓｕｒｅｍｅｎｔ ＳＦ Ｓｅｔ ＃１（つまり、ＣCSI、1）はそれぞれサービングセルが静的な用途あるいは固定された用途に使用するサブフレーム集合、サービングセルが用途変更を行うサブフレーム集合を考慮して設定することもできる。
【０２２４】
以下では、異なった特性の干渉に対する分離されたＣＳＩ／Ｉｎｔｅｒｆｅｒｅｎｃｅ Ｍｅａｓｕｒｅｍｅｎｔ動作を、多数のＣＳＩプロセス（ＣＳＩ ｐｒｏｃｅｓｓ）を設定する方案を中心に説明する（ＣＳＩ／干渉測定オプション＃Ｂ）。
【０２２５】
一例として、サービングセルは、端末（ｅＩＭＴＡ ＵＥ）に前述した表７とは違う形態に無線リソース用途の動的変更動作を行う隣接セルから入る異なった特性の干渉に対する分離された（Ｓｅｐａｒａｔｅ）ＣＳＩ測定動作、干渉推定動作あるいは干渉平均化動作の中で少なくとも一つを行うように設定することができる。具体的に、端末（ｅＩＭＴＡ／ＴＭ １０ ＵＥ）が「Ｃａｐａｂｉｌｉｔｙ Ｓｉｇｎａｌｉｎｇ」で最大Ｐ個のＣＳＩプロセスを運営（Ｓｕｐｐｏｒｔ）することができると基地局に知らせた場合、該当の端末は基地局から最大Ｎ＊Ｐ個（ここで、一例としてＮは２以上の正の整数値に設定することができるが、以下では説明の便宜のためにＮを２と仮定する）のＣＳＩプロセスが設定可能であるものに定義することができる。
【０２２６】
また、「Ｎ＝２」であり、端末（ｅＩＭＴＡ ＵＥ）が基地局から全部で２＊Ｐ個のＣＳＩプロセスを設定された場合、例えば（最大）２＊Ｐ個のＣＳＩプロセスの中で最大Ｐ個のＣＳＩプロセス（例えば、一番目ＣＳＩプロセス（つまり、ＣＳＩプロセスインデックス＃１）からＰ番目ＣＳＩプロセス（つまり、ＣＳＩプロセスインデックス＃Ｐ））にのみ限定的に従来のＲｅｌ−１１ ＣＳＩプロセスと同様に特定の一つのＮｏｎ−ｚｅｒｏ Ｐｏｗｅｒ ＣＳＩ−ＲＳ Ｒｅｓｏｕｒｃｅと一つのＣＳＩ−ＩＭ ｒｅｓｏｕｒｃｅの組合せを設定することができる。その以外の残りのＣＳＩプロセス（例えば、（Ｐ＋１）番目ＣＳＩプロセス（つまり、ＣＳＩプロセスインデックス＃（Ｐ＋１））から２＊Ｐ番目ＣＳＩプロセス（つまり、ＣＳＩプロセスインデックス＃（２＊Ｐ））は、それぞれ前もって定義された規則／設定／シグナルされた情報によって従来のＲｅｌ−１１ ＣＳＩプロセスと同様に特定の一つのＮｏｎ−ｚｅｒｏ Ｐｏｗｅｒ ＣＳＩ−ＲＳ Ｒｅｓｏｕｒｃｅと一つのＣＳＩ−Ｉ Ｍｒｅｓｏｕｒｃｅの組合せが設定されたＰ個のＣＳＩプロセス（例えば、一番目ＣＳＩプロセス（つまり、ＣＳＩプロセスインデックス＃１）からＰ番目ＣＳＩプロセス（つまり、ＣＳＩプロセスインデックス＃Ｐ））のいずれか一つと対（Ｐａｉｒ）（つまり、一つのＣＳＩプロセスが多数個のＣＳＩプロセスと重複して対を成さない重複のない一対一マッピング）を成して、一部情報（例えば、Ｎｏｎ−ｚｅｒｏ Ｐｏｗｅｒ ＣＳＩ−ＲＳ Ｒｅｓｏｕｒｃｅ設定情報）を借用するように設定することができる。
【０２２７】
【表８】
0006629745.tif 000012
【０２２８】
表８は、「Ｐ＝１、Ｎ＝２」であり、端末（ｅＩＭＴＡ ＵＥ）が基地局から全部で２個のＣＳＩプロセスを設定された場合、残り一つのＣＳＩプロセス（例えば、二番目ＣＳＩプロセス（つまり、ＣＳＩプロセスインデックス＃２））は前もって定義された規則／設定／シグナルされた情報によって従来のＲｅｌ−１１ ＣＳＩプロセスと同様に特定の一つのＮｏｎ−ｚｅｒｏ Ｐｏｗｅｒ ＣＳＩ−ＲＳ Ｒｅｓｏｕｒｃｅと一つのＣＳＩ−Ｉ Ｍｒｅｓｏｕｒｃｅの組合せが設定された１個のＣＳＩプロセス（例えば、一番目ＣＳＩプロセス（つまり、ＣＳＩプロセスインデックス＃１））と対を成した後、Ｎｏｎ−ｚｅｒｏ Ｐｏｗｅｒ ＣＳＩ−ＲＳ Ｒｅｓｏｕｒｃｅ設定情報を借用する状況に対する例示を示す。
【０２２９】
ここで、残り一つのＣＳＩプロセス（例えば、二番目ＣＳＩプロセス（つまり、ＣＳＩプロセスインデックス＃２））上には、従来のＲｅｌ−１１ ＣＳＩプロセスと同様に特定の一つのＮｏｎ−ｚｅｒｏ Ｐｏｗｅｒ ＣＳＩ−ＲＳ Ｒｅｓｏｕｒｃｅと一つのＣＳＩ−ＩＭ ｒｅｓｏｕｒｃｅの組合せが設定された１個のＣＳＩプロセス（例えば、一番目ＣＳＩプロセス（つまり、ＣＳＩプロセスインデックス＃１））と異なるＣＳＩ−ＩＭ ｒｅｓｏｕｒｃｅが設定され、それぞれのＣＳＩプロセスは（暗黙的に）干渉特性が相異なるサブフレーム集合に対する分離されたＣＳＩ Ｍｅａｓｕｒｅｍｅｎｔ動作、干渉推定、あるいは干渉平均化動作を行うのに用いられる。言い替えれば、それぞれのＣＳＩプロセスは、前述したＣＳＩ Ｍｅａｓｕｒｅｍｅｎｔ ＳＦ Ｓｅｔ ＃０（つまり、ＣCSI、0）、ＣＳＩ Ｍｅａｓｕｒｅｍｅｎｔ ＳＦ Ｓｅｔ ＃１（つまり、ＣCSI、1）と同様な役目を行うことになる。
【０２３０】
さらに他の例として、２＊Ｐ個のＣＳＩプロセス（つまり、ＣＳＩプロセスインデックス＃１からＣＳＩプロセスインデックス＃２＊Ｐに定義される）の間の対（Ｐａｉｒ）マッピングは前もって定義された設定によって行われることもできる。ここで、具体的な例として、特定のＣＳＩプロセスインデックス＃ｋ（ここで、ｋ∈｛１、２、…、Ｐ｝）はＣＳＩプロセスインデックス＃（ｋ＋Ｐ）と対マッピングが行われるように設定（つまり、特定のＣＳＩプロセスインデックス＃ｋ（ここで、ｋ∈｛（Ｐ＋１）、（Ｐ＋２）、…、２＊Ｐ｝）がＣＳＩプロセスインデックス＃（ｋ ｍｏｄ Ｐ）（ここで、ｋ ｍｏｄ ＰはｋをＰで分けた余りを表現）と対マッピング）されるか、あるいは特定のＣＳＩプロセスインデックス＃ｋ（ここで、ｋ∈｛１、２、…、Ｐ｝）はＣＳＩプロセスインデックス＃（ｋ＋Ｏoffset）（ここで、Ｏoffsetは０ではない正の整数に設定することができる）と対マッピングが行われるように設定することもできる。この場合、基地局が端末（ｅＩＭＴＡ ＵＥ）に２＊Ｐより小さな値あるいは奇数値で総ＣＳＩプロセスの個数をシグナル／設定すれば、端末は実際に対マッピングが適用されないＣＳＩプロセスを有することになり、該当のＣＳＩプロセスは独立的に用いられる（例えば、ＣｏＭＰ用途）ことができる。
【０２３１】
以下では、前述した内容に基づき、端末がフォールバック動作を行う場合、チャネル状態情報（ＣＳＩ）を効率的に報告する方法を提案する。ここで、本発明の実施例は、周期的チャネル状態情報（Ｐ−ＣＳＩ）報告動作あるいは非周期的チャネル状態情報（Ａ−ＣＳＩ）報告動作に限定的に適用されるように設定するか、あるいはＰ−ＣＳＩとＡ−ＣＳＩの両方に共に適用されるように設定することができる。
【０２３２】
また、以下の実施例は、フォールバックモード、つまり用途変更メッセージを成功的に受信することができないため、ＳＩＢ１上の上りリンク−下りリンク設定（ＵＬ−ＤＬ Ｃｏｎｆｉｇｕｒａｔｉｏｎ）に基づいてチャネル測定（ＣＳＩ Ｍｅａｓｕｒｅｍｅｎｔ）動作、下りリンク制御チャネル（ＰＤＣＣＨ）モニタリング動作、下りリンクデータチャネル（ＰＤＳＣＨ）受信動作、あるいは上りリンクデータチャネル（ＰＵＳＣＨ）（再）送信動作の少なくとも一つを行う場合にのみ限定的に適用されるように設定することができる。
【０２３３】
なぜなら、フォールバックモードが行われる区間では端末がＳＩＢ１上りリンク−下りリンク設定（ＵＬ−ＤＬ Ｃｏｎｆｉｇｕｒａｔｉｏｎ）上の下りリンクサブフレーム及び／又はスペシャルサブフレームのみを考慮してチャネル測定（ＣＳＩ Ｍｅａｓｕｒｅｍｅｎｔ）動作を行うことになる。このような場合、ＳＩＢ１上りリンク−下りリンク設定（ＵＬ−ＤＬ Ｃｏｎｆｉｇｕｒａｔｉｏｎ）上の下りリンクサブフレーム及び／又はスペシャルサブフレームは特定の一つのＣＳＩ測定サブフレーム集合（ＣＳＩ Ｍｅａｓｕｒｅｍｅｎｔ Ｓｕｂｆｒａｍｅ Ｓｅｔ）（つまり、隣接セルから相対的に静的な（あるいは固定された）特性の干渉が入るサブフレーム集合、あるいはサービングセルが静的な用途（あるいは固定された用途）に使用するサブフレーム集合、以下、ＣＳＩ Ｍｅａｓｕｒｅｍｅｎｔ Ｓｕｂｆｒａｍｅ Ｓｅｔ ＃０（ＣCSI、0））に設定される可能性が高いからである。
【０２３４】
言い替えれば、フォールバックモードが行われる区間には特定の一つのＣＳＩ測定サブフレーム集合（つまり、ＣＳＩ Ｍｅａｓｕｒｅｍｅｎｔ Ｓｕｂｆｒａｍｅ Ｓｅｔ ＃０、ＣCSI、0）関連（Ｐ／Ａ−）ＣＳＩ報告に対するＣＳＩ参照リソース（ＣＳＩ Ｒｅｆｅｒｅｎｃｅ Ｒｅｓｏｕｒｃｅ）のみが存在することになり、残りの他の一つのＣＳＩ測定サブフレーム集合（つまり、隣接セルから相対的に動的（Ｖａｒｉａｎｔ）な特性の干渉が入るサブフレーム集合、あるいはサービングセルが用途変更を行うサブフレーム集合、以下、ＣＳＩ Ｍｅａｓｕｒｅｍｅｎｔ Ｓｕｂｆｒａｍｅ Ｓｅｔ ＃１、（ＣCSI、1））関連（Ｐ／Ａ−）ＣＳＩ報告に対するＣＳＩ参照リソース（ＣＳＩ Ｒｅｆｅｒｅｎｃｅ Ｒｅｓｏｕｒｃｅ）は存在しないからである。したがって、残りの他の一つのＣＳＩ測定サブフレーム集合（つまり、ＣＳＩ Ｍｅａｓｕｒｅｍｅｎｔ Ｓｕｂｆｒａｍｅ Ｓｅｔ ＃１（ＣCSI、1））関連（Ｐ／Ａ−）ＣＳＩ報告を効率的に処理する方法が必要であり、このような場合に本発明の実施例が適用可能である。
【０２３５】
また、本発明の実施例は、用途変更メッセージによって（再）指定される上りリンク−下りリンク設定がＳＩＢ１上りリンク−下りリンク設定と同一である場合にも拡張適用することができる。すなわち、用途変更メッセージによって（再）指定される上りリンク−下りリンク設定がＳＩＢ１上りリンク−下りリンク設定と同一であれば、前述したように、残りの他の一つのＣＳＩ測定サブフレーム集合（ＣＳＩ Ｍｅａｓｕｒｅｍｅｎｔ Ｓｕｂｆｒａｍｅ Ｓｅｔ ＃１（ＣCSI、1））関連（Ｐ／Ａ−）ＣＳＩ報告に対するＣＳＩ参照リソースが存在しない問題（つまり、この場合にはフォールバックモードや非フォールバックモードに関係なく発生することになる）が同様に発生するからである。
【０２３６】
さらに、本発明の実施例は、フォールバックモード、つまり、用途変更メッセージを成功的に受信することができないため、ＳＩＢ１上の上りリンク−下りリンク設定に基づいてチャネル測定（ＣＳＩ Ｍｅａｓｕｒｅｍｅｎｔ）動作、下りリンク制御チャネル（ＰＤＣＣＨ）モニタリング動作、下りリンクデータチャネル（ＰＤＳＣＨ）受信動作、あるいは上りリンクデータチャネル（ＰＵＳＣＨ）（再）送信動作などを行う場合ので少なくとも一つ、あるいは非フォールバックモード（Ｎｏｎ−ｆａｌｌｂａｃｋ Ｍｏｄｅ）、つまり、成功的に受信された用途変更メッセージ上の情報（つまり、再設定された有効な上りリンク−下りリンク設定情報）に基づいてチャネル測定動作、下りリンク制御チャネルモニタリング動作、下りリンクデータチャネル受信動作あるいは上りリンクデータチャネル（再）送信動作の少なくとも一つを行う場合に共に適用可能である。
【０２３７】
また、以下の実施例は前述した異なった特性の干渉に対する分離されたＣＳＩ Ｍｅａｓｕｒｅｍｅｎｔ動作、干渉推定動作あるいは干渉平均化動作の少なくとも一つを行うようにする一部の場合（例えば、表７又は表８）にのみ限定的に適用されるように設定されるか、あるいはすべての方法に適用されるように設定することができる。
【０２３８】
図１０は特定の端末（ｅＩＭＴＡ ＵＥ）のＣＳＩ報告時点及び／又は該当のＣＳＩ報告と連動した有効な（Ｖａｌｉｄ）参照リソース（例えば、ＣＳＩ Ｒｅｆｅｒｅｎｃｅ Ｒｅｓｏｕｒｃｅ）時点／位置（例えば、ＴＳ ３６．２１３に特定の時点のＣＳＩ報告と連動した有効な参照リソースの時点／位置を決定する規則が定義）がそれぞれどのモード区間（例えば、フォールバックモード区間あるいは非フォールバックモード区間）に属することができるかを説明するための参照図である。
【０２３９】
図１０（ａ）は特定の時点のＣＳＩ報告がフォールバックモード動作が適用される区間上で行われ、該当のＣＳＩ報告の有効な参照リソースの時点／位置はフォールバックモード動作が適用される区間上に存在する場合を示し、図１０（ｂ）は特定の時点のＣＳＩ報告が非フォールバックモード動作が適用される区間上で行われ、該当のＣＳＩ報告の有効な参照リソースの時点／位置はフォールバックモード動作が適用される区間上に存在する場合を示し、図１０（ｃ）は特定の時点のＣＳＩ報告がフォールバックモード動作が適用される区間上で行われ、該当のＣＳＩ報告の有効な参照リソースの時点／位置は非フォールバックモード動作が適用される区間上に存在する場合を示す。ここで、図１０は無線リソース用途の動的変更周期（Ｒｅｃｏｎｆｉｇｕｒａｔｉｏｎ Ｐｅｒｉｏｄ）に基づいてフォールバックモード適用区間あるいは非フォールバックモード適用区間が決定されることを仮定した。
【０２４０】
以下の実施例は図１０の一部の場合にのみ限定的に適用されるように設定することができるが、すべての場合に適用されるように設定することもできる。さらに、以下の実施例は特定の時点のＣＳＩ報告が非フォールバックモード動作が適用される区間上で行われ、該当のＣＳＩ報告の有効な参照リソースの時点／位置も非フォールバックモード動作が適用される区間上に存在する場合（例えば、用途変更メッセージによって（再）指定される上りリンク−下りリンク設定がＳＩＢ１上りリンク−下りリンク設定と同一である場合）にも拡張適用可能である。
【０２４１】
実施例４−１
【０２４２】
本発明の第４−１実施例によれば、図１０の少なくとも一つ（つまり、一部あるいは全部）の場合、端末（ｅＩＭＴＡ ＵＥ）は（例外的に）前もって定義された特定の値のＣＱＩ（Ｃｈａｎｎｅｌ Ｑｕａｌｉｔｙ Ｉｎｄｉｃａｔｏｒ）、ＰＭＩ（Ｐｒｅｃｏｄｉｎｇ Ｍａｔｒｉｘ Ｉｎｄｉｃａｔｏｒ）、ＰＴＩ（Ｐｒｅｃｏｄｉｎｇ Ｔｙｐｅ Ｉｎｄｉｃａｔｏｒ）、ＲＩ（Ｒａｎｋ Ｉｎｄｉｃａｔｉｏｎ）の少なくとも一つを報告する動作、あるいはＣＱＩ情報、ＰＭＩ情報、ＰＴＩ情報、あるいはＲＩ情報報告の少なくとも一つを省略するように設定することができる。
【０２４３】
例えば、ＣＱＩ情報（例えば、Ｗｉｄｅｂａｎｄ ＣＱＩあるいはＳｕｂｂａｎｄ ＣＱＩ）は（例外的に）「Ｏｕｔ ｏｆ Ｒａｎｇｅ（ＯＯＲ）値」（つまり、ＣＱＩ Ｉｎｄｅｘ ＃０に当たる値）を報告するようにすることにより、基地局は該当の端末がフォールバックモードで動作していることを把握／類推することができる。
【０２４４】
さらに他の例として、ＲＩ情報、あるいはジョイントエンコード（Ｊｏｉｎｔ Ｅｎｃｏｄｉｎｇ）されるＰＴＩ情報の少なくとも一つは（例外的に）前もって定義された値（例えば、１）の値を報告するように設定するか、あるいは一番最近のＲＩ値あるいはＰＴＩ情報の少なくとも一つを再び報告するように設定することができる。後者の例において、非フォールバックモード区間に位置する有効な参照リソースに基づいて一番最近に計算／報告されたＲＩ値（及び／又はＰＴＩ情報）あるいは非フォールバックモード区間で一番最近に報告されたＲＩ値（及び／又はＰＴＩ情報）の少なくとも一つを再び報告するように設定することができる。ここで、前述した方法は正しくないかあるいは有効ではないＲＩ情報を報告することにより、その後に該当のＲＩ情報に基づいて計算されるＣＱＩ情報、ＰＭＩ情報あるいはＰＴＩ情報のエラーの（再）発生を防止することができる。
【０２４５】
さらに他の例として、この実施例に基づいて報告される特定の値のＣＱＩ情報、ＰＭＩ情報、ＰＴＩ情報、あるいはＲＩ情報の少なくとも一つは、（例外的に）前もって定義されるかシグナルされたリソース（例えば、ＰＵＣＣＨ／ＰＵＳＣＨ Ｒｅｓｏｕｒｃｅ）を通じて送信されるように設定することもできる。
【０２４６】
さらに他の例として、図１０（ａ）乃至図１０（ｃ）において、端末は（例外的に）前もって定義された規則／設定によって特定の値を有する（特に、Ｐ−ＣＳＩあるいはＡ−ＣＳＩ関連）ＲＩ情報、ＣＱＩ情報、ＰＭＩ情報あるいはＰＴＩ情報の報告を除いた残りの情報の報告を省略することもできる。
【０２４７】
さらに他の例として、図１０（ａ）乃至図１０（ｃ）において、（８ ＴＸアンテナ）ＰＴＩ情報は（例外的に）前もって定義された値（例えば、「ＰＴＩ＝０」あるいは「ＰＴＩ＝１」）で報告／設定されることができ、該当のＰＴＩ情報に基づいて（以後に報告される）Ｗ１、Ｗ２あるいはＣＱＩの少なくとも一つの属性が決定されることもできる。ここで、一般に、ＰＴＩ情報が０に設定されればＷｉｄｅｂａｎｄ Ｗ１とＷｉｄｅｂａｎｄ Ｗ２／ＣＱＩが報告される一方、ＰＴＩ情報が１に設定されればＷｉｄｅｂａｎｄ Ｗ２とＳｕｂｂａｎｄ Ｗ２／ＣＱＩ／Ｌ−ｂｉｔＳｕｂｂａｎｄ Ｉｎｄｉｃａｔｏｒが報告される。
【０２４８】
さらに他の例として、図１０（ａ）乃至図１０（ｃ）において、（例外的に）ＣＱＩ／ＰＭＩ情報の中でＷｉｄｅｂａｎｄ属性に基づく報告を除いた残りの報告（つまり、Ｓｕｂｂａｎｄ属性に基づく報告）は省略するように設定するか、あるいはＳｕｂｂａｎｄ属性に基づく報告を除いた残りの報告（つまり、Ｗｉｄｅｂａｎｄ属性に基づく報告）は省略するように設定するか、あるいはすべての属性に基づく報告（つまり、Ｗｉｄｅｂａｎｄ／Ｓｕｂｂａｎｄ属性に基づく報告）を省略するように設定することができる。
【０２４９】
さらに他の例として、この実施例によれば、特定の（時点の）ＣＳＩ報告のための有効な参照リソースが前もって設定されるかあるいはシグナルされた区間（Ｗｉｎｄｏｗ ｏｆ Ｖａｌｉｄ ＣＳＩ Ｒｅｆｅｒｅｎｃｅ Ｒｅｓｏｕｒｃｅ）内に存在しない場合（つまり、前もって定義された区間の下限範囲を外れる場合）にも同様に適用可能である。
【０２５０】
実施例４−２
【０２５１】
本発明の実施例４−２によれば、前述した実施例４−１は前もって定義された規則あるいはシグナルされた情報によって、前述した異なった特性の干渉に対する分離されたＣＳＩ Ｍｅａｓｕｒｅｍｅｎｔ動作、干渉推定動作あるいは干渉平均化動作を行うようにする方法にのみ限定的に適用されるように設定することができる。すなわち、表７で、特定のＣＳＩ測定サブフレーム集合あるいは特定のＣＳＩ測定サブフレーム集合インデックス関連ＣＳＩ報告動作（例えば、Ｐ−ＣＳＩ報告動作及び／又はＡ−ＣＳＩ報告動作）にのみ限定的に適用されるように設定することができる。
【０２５２】
一例として、前述した実施例４−１が適用されるＣＳＩ測定サブフレーム集合は、隣接セルから相対的に動的（Ｖａｒｉａｎｔ）な特性の干渉が入るサブフレーム集合（あるいはサービングセルが用途変更を行うサブフレーム集合）と連動したＣＳＩ測定サブフレーム集合に（暗黙的にあるいはシグナリングに基づいて）定義するか、あるいは前もって定義されるかあるいはシグナルされた特定の（固定された）ＣＳＩ測定サブフレーム集合に定義することができる。あるいは、前述した実施例４−１が適用されるＣＳＩ測定サブフレーム集合インデックスは、隣接セルから相対的に動的（Ｖａｒｉａｎｔ）な特性の干渉が入るサブフレーム集合（あるいはサービングセルが用途変更を行うサブフレーム集合）と連動したＣＳＩ測定サブフレーム集合インデックス（つまり、ＣＳＩ Ｍｅａｓｕｒｅｍｅｎｔ Ｓｕｂｆｒａｍｅ Ｓｅｔ Ｉｎｄｅｘ ＃１あるいは、ＣCSI、1）に（暗黙的にあるいはシグナリングに基づいて）定義するか、あるいは前もって定義されるかあるいはシグナルされた特定の（固定された）ＣＳＩ測定サブフレーム集合インデックス（つまり、ＣＳＩ Ｍｅａｓｕｒｅｍｅｎｔ Ｓｕｂｆｒａｍｅ Ｓｅｔ Ｉｎｄｅｘ ＃１あるいはＣCSI、1）に定義することができる。
【０２５３】
さらに他の例として、前述した実施例４−１が適用されるＣＳＩ測定サブフレーム集合は、隣接セルから相対的に静的な（あるいは固定された）特性の干渉が入るサブフレーム集合（あるいはサービングセルが静的な用途（あるいは固定された用途）に使用するサブフレーム集合）と連動したＣＳＩ測定サブフレーム集合に（暗黙的にあるいはシグナリングに基づいて）定義するか、あるいは前もって定義された（あるいはシグナルされた）特定の（固定された）ＣＳＩ測定サブフレーム集合に定義することができる。あるいは、前述した実施例４−１が適用されるＣＳＩ測定サブフレーム集合インデックスは、隣接セルから相対的に静的な（あるいは固定された）特性の干渉が入るサブフレーム集合（あるいはサービングセルが静的な用途（あるいは固定された用途）に使用するサブフレーム集合）と連動したＣＳＩ測定サブフレーム集合インデックス（つまり、ＣＳＩ測定サブフレーム集合インデックス＃０（つまり、ＣCSI、0）に（暗黙的にあるいはシグナリングに基づいて）定義するか、あるいは前もって定義された（あるいはシグナルされた）特定の（固定された）ＣＳＩ測定サブフレーム集合インデックス（つまり、ＣＳＩ Ｍｅａｓｕｒｅｍｅｎｔ Ｓｕｂｆｒａｍｅ Ｓｅｔ Ｉｎｄｅｘ ＃０、あるいはＣCSI、0））に定義することができる。
【０２５４】
さらに、前述した実施例４−１が適用されるＣＳＩ測定サブフレーム集合あるいはＣＳＩ測定サブフレーム集合インデックスは、すべてのＣＳＩ測定サブフレーム集合あるいはＣＳＩ測定サブフレーム集合インデックス（つまり、ＣＳＩ Ｍｅａｓｕｒｅｍｅｎｔ Ｓｕｂｆｒａｍｅ Ｓｅｔ Ｉｎｄｅｘ ＃０（ＣCSI、0）、ＣＳＩ Ｍｅａｓｕｒｅｍｅｎｔ Ｓｕｂｆｒａｍｅ Ｓｅｔ Ｉｎｄｅｘ ＃１（ＣCSI、1））に（暗黙的にあるいはシグナリングに基づいて）定義することもできる。
【０２５５】
実施例４−３
【０２５６】
本発明の実施例４−３によれば、前述した実施例４−１は前もって定義された規則（あるいはシグナルされた情報）によって、前述した異なった特性の干渉に対する分離されたＣＳＩ Ｍｅａｓｕｒｅｍｅｎｔ動作、干渉推定動作あるいは干渉平均化動作を行うようにする方法にのみ限定的に適用されるように設定することができる。すなわち、表８で、特定のＣＳＩプロセスインデックス関連ＣＳＩ報告動作（例えば、Ｐ−ＣＳＩ報告動作及び／又はＡ−ＣＳＩ報告動作）にのみ限定的に適用されるように設定することができる。
【０２５７】
例えば、前述した実施例４−１が適用されるＣＳＩプロセスインデックスは隣接セルから相対的に動的（Ｖａｒｉａｎｔ）な特性の干渉が入るサブフレーム集合（あるいはサービングセルが用途変更を行うサブフレーム集合）に対する分離されたＣＳＩ Ｍｅａｓｕｒｅｍｅｎｔ動作、干渉推定動作あるいは干渉平均化動作を行うために用いられるか設定されたＣＳＩプロセスインデックスに（暗黙的にあるいはシグナリングに基づいて）定義するか、あるいは前もって定義された（あるいはシグナルされた）特定の（固定された）ＣＳＩプロセスインデックスに定義することができる。
【０２５８】
前もって定義された特定の（固定された）ＣＳＩプロセスインデックスに実施例４−１が適用される場合に対する例として、２＊Ｐ個のＣＳＩプロセス（つまり、「Ｎ＝２」に設定された場合）の中で、従来のＲｅｌ−１１ ＣＳＩプロセスと同様に、特定の一つのＮｏｎ−ｚｅｒｏ Ｐｏｗｅｒ ＣＳＩ−ＲＳ Ｒｅｓｏｕｒｃｅと一つのＣＳＩ−ＩＭ ｒｅｓｏｕｒｃｅの組合せが設定されるＰ個のＣＳＩプロセス（例えば、ＣＳＩプロセスインデックス＃１からＣＳＩプロセスインデックス＃Ｐ）ではなく、前もって定義された規則／設定／シグナルされた情報によって該当のＰ個のＣＳＩプロセスの一つと対（Ｐａｉｒ）（つまり、一つのＣＳＩプロセスが多数個のＣＳＩプロセスと重複して対を成さない。すなわち、重複しない一対一マッピング）をそれぞれ成し、一部の情報（例えば、Ｎｏｎ−ｚｅｒｏ Ｐｏｗｅｒ ＣＳＩ−ＲＳ Ｒｅｓｏｕｒｃｅ設定情報）を借用することになるその以外の残りのＣＳＩプロセス（例えば、ＣＳＩプロセスインデックス＃（Ｐ＋１）からＣＳＩプロセスインデックス＃（２＊Ｐ））上にのみ前述した実施例４−１が限定的に適用されるように設定することができる。
【０２５９】
さらに他の例として、実施例４−１が適用されるＣＳＩプロセスインデックスは隣接セルから相対的に静的な（あるいは固定的な）特性の干渉が入るサブフレーム集合（あるいはサービングセルが静的な用途（あるいは固定された用途）に使用するサブフレーム集合）に対する分離されたＣＳＩ Ｍｅａｓｕｒｅｍｅｎｔ動作、干渉推定動作あるいは干渉平均化動作を行うために設定されたＣＳＩプロセスインデックスに（暗黙的にあるいはシグナリングに基づいて）定義するか、あるいは前もって定義された（あるいはシグナルされた）特定の（固定された）ＣＳＩプロセスインデックスに定義することができる。
【０２６０】
すなわち、前もって定義された特定の（固定された）ＣＳＩプロセスインデックスに実施例４−１が適用される場合に対する一例として、２＊Ｐ個のＣＳＩプロセス（つまり、「Ｎ＝２」に設定された場合）の中で、従来のＲｅｌ−１１ ＣＳＩプロセスと同様に、特定の一つのＮｏｎ−ｚｅｒｏ Ｐｏｗｅｒ ＣＳＩ−ＲＳ Ｒｅｓｏｕｒｃｅと一つのＣＳＩ−ＩＭ ｒｅｓｏｕｒｃｅの組合せが設定されるＰ個のＣＳＩプロセス（例えば、ＣＳＩプロセスインデックス＃１からＣＳＩプロセスインデックス＃Ｐ）上にのみ前述した実施例４−１が限定的に適用されるように設定することができる。すなわち、前もって定義された規則（あるいはシグナルされた情報）によって該当のＰ個のＣＳＩプロセスの一つと対（Ｐａｉｒ）（ここで、一つのＣＳＩプロセスが多数個のＣＳＩプロセスと重複して対を成さない。すなわち、重複しない一対一マッピング）をそれぞれ成し、一部の情報（例えば、Ｎｏｎ−ｚｅｒｏ Ｐｏｗｅｒ ＣＳＩ−ＲＳ Ｒｅｓｏｕｒｃｅ設定情報）を借用することになるその以外の残りのＣＳＩプロセス（例えば、ＣＳＩプロセスインデックス＃（Ｐ＋１）からＣＳＩプロセスインデックス＃（２＊Ｐ））上には適用されないように設定することができる。
【０２６１】
さらに、実施例４−１が適用されるＣＳＩプロセスインデックスはすべてのＣＳＩプロセスインデックス（例えば、「Ｎ＝２」に設定された場合、ＣＳＩプロセスインデックス＃１からＣＳＩプロセスインデックス＃（２＊Ｐ）までを示し、あるいは基地局が端末に実際に設定するすべてのＣＳＩプロセスの個数を示す）に（暗黙的にあるいはシグナリングに基づいて）定義することもできる。
【０２６２】
実施例４−４
【０２６３】
本発明の第４実施例によれば、特定の時点（つまり、ＳＦ＃Ｎ）のＣＳＩ報告に関連した有効な（Ｖａｌｉｄ）ＣＳＩ参照リソース（等）が存在することができる区間の下限（Ｌｏｗｅｒ Ｂｏｕｎｄ）は、（前もって定義された）ＰＤＣＣＨが送信される時点あるいは（前もって定義された）ＰＤＣＣＨが送信される時点を含んで以後、あるいは（前もって定義された）ＰＤＣＣＨが送信される時点を含まなくて以後にのみ存在すると設定することができる。
【０２６４】
例えば、（前もって定義された）ＰＤＣＣＨ送信時点は、用途変更メッセージ（つまり、表９参照）が送信されるサブフレーム、あるいは（該当の特定の時点（つまり、ＳＦ＃Ｎ）のＣＳＩ報告を行う端末の観点で）（該当のＣＳＩ報告時点（つまり、ＳＦ＃Ｎ）が含まれた）同一用途変更メッセージが送信されるウィンドウの開始点に定義することができる。このような方法／規則の適用によって、一例として、特定の時点（つまり、ＳＦ＃Ｎ）のＣＳＩ報告関連の有効なＣＳＩ参照リソース位置（及び／又は時点）が余りにも過去時点のもの選定されることにより、Ｏｕｔｄａｔｅｄ ＣＳＩ情報が報告されることを緩和することができる。
【数４】
0006629745.tif 000013
【０２６５】
【表９−１】
0006629745.tif 000014
【表９−２】
0006629745.tif 000015
【表９−３】
0006629745.tif 000016
【０２６６】
また、特定の時点（つまり、ＳＦ＃Ｎ）のＣＳＩ報告関連の有効なＣＳＩ参照リソース（等）が存在することができる区間の上限（Ｕｐｐｅｒ Ｂｏｕｎｄ）は前もって定義された規則（あるいは前もって定義されたシグナリング）によってＳＦ＃（Ｎ−４）（あるいはＡ−ＣＳＩ報告の場合には、Ａ−ＣＳＩ Ｔｒｉｇｇｅｒｉｎｇ Ｍｅｓｓａｇｅが受信される時点）に設定することもできる。
【０２６７】
また、この実施例は、特定のＣＳＩ測定サブフレーム集合あるいは特定のＣＳＩ測定サブフレーム集合インデックスにのみ限定的に適用されるように設定するかあるいはすべてのＣＳＩ報告動作に適用されるように設定することができる。例えば、隣接セルから相対的に動的（Ｖａｒｉａｎｔ）な特性の干渉が入るサブフレーム集合（あるいはサービングセルが用途変更を行うサブフレーム集合）、つまり、ＣＳＩ測定サブフレーム集合インデックス＃１（つまり、ＣCSI、1）関連Ｐ−ＣＳＩ報告動作あるいはＡ−ＣＳＩ報告動作にのみ限定的に適用されるように設定することもできる。
【０２６８】
また、この実施例４−４はフォールバックモードにのみ限定的に適用されるように設定するかあるいはフォールバックモード及び非フォールバックモードの両方に共に適用されるように設定することもできる。
【０２６９】
図１１はこの実施例４−４が適用された場合を説明するための参照図である。図１１で、特定の時点（つまり、ＳＦ＃Ｎ）のＣＳＩ報告関連の有効なＣＳＩ参照リソース（等）が存在することができる区間の下限は該当のＣＳＩ報告時点（つまり、ＳＦ＃Ｎ）が含まれた同一用途変更メッセージが送信されるウィンドウの開始点と仮定することができ、特定の時点（つまり、ＳＦ＃Ｎ）のＣＳＩ報告関連の有効なＣＳＩ参照リソース（等）が存在することができる区間の上限は前もって定義された設定／規則／シグナリングによってＳＦ＃（Ｎ−４）に設定されたと仮定することができる。
【０２７０】
実施例４−５
【０２７１】
前述した本発明の実施例４−１、実施例４−３及び実施例４−４の少なくとも一つは、前述した実施例４−２で説明した特定のＣＳＩ測定サブフレーム集合あるいは特定のＣＳＩ測定サブフレーム集合インデックスに係わるＰ−ＣＳＩ報告動作（あるいはＡ−ＣＳＩ報告動作）にのみ限定的に適用されるように設定するかあるいはすべてのＣＳＩ報告動作に適用されるように設定することができる。
【０２７２】
また、本発明の実施例４−１、実施例４−２及び実施例４−４の少なくとも一つは、実施例４−３で説明した特定のＣＳＩプロセスインデックス関連Ｐ−ＣＳＩ報告動作（あるいはＡ−ＣＳＩ報告動作）にのみ限定的に適用されるように設定するかあるいはすべてのＣＳＩ報告動作に適用されるように設定することができる。
【０２７３】
実施例４−６
【０２７４】
前述した本発明の実施例４−１乃至実施例４−５の少なくとも一つは図１０の特定の場合（例えば、図１０（ａ）、図１０（ｂ）又は図１０（ｃ））にのみ限定的に適用されるように設定するか、あるいは一部の場合の組合せ（例えば、図１０（ａ）と図１０（ｂ）の組合せあるいは図１０（ａ）と図１０（ｃ）の組合せ）にのみ限定的に適用されるように設定するか、あるいはすべての場合に適用されるように設定することもできる。
【０２７５】
また、前述した本発明の実施例４−１乃至実施例４−５の少なくとも一つは、特定のＴＭでのみ限定的に適用されるように設定（例えば、実施例４−３はＴＭ１０でのみ限定的に適用されるように設定、あるいは実施例４−２はＴＭ９／ＴＭ１０（あるいはＴＭ１乃至ＴＭ１０）でのみ限定的に適用されるように設定）するか、あるいはすべてのＴＭで適用されるように設定することができる。
【０２７６】
さらに、前述した実施例は無線リソース用途の動的変更（ｅＩＭＴＡ）モードが設定（Ｃｏｎｆｉｇｕｒａｔｉｏｎ）された場合、特定の送信モード（ＴＭ）が設定された場合、あるいは特定の上りリンク−下りリンク設定が（再）設定された場合にのみ限定的に適用されるように設定することができる。
【０２７７】
また、前述した実施例に対するそれぞれの一例／設定／規則はそれぞれ本発明を実施するための一種の提案方式と見なすことができるのは明らかな事実である。また、前述した実施例は独立的に具現されることもできるが、一部の実施例の組合せあるいは併合の形態に具現されることもできる。
【０２７８】
さらに、前述した本発明の実施例／設定／規則についての情報、あるいは該当の実施例／設定／規則の適用可否についての情報などは基地局が端末に前もって定義されたシグナル（例えば、物理階層あるいは上位階層シグナル）によって知らせることができる。
【０２７９】
前述した実施例は前もって定義された（あるいはシグナルされた）特定のチャネル状態情報（ＣＳＩ）フィードバックモード／タイプ（例えば、ＰＵＳＣＨを通じて行われるフィードバックモード／タイプあるいはＰＵＣＣＨを通じて行われるフィードバックモード／タイプ）にのみ限定的に適用されるように設定するか、あるいはＰＭＩ／ＲＩ報告（Ｒｅｐｏｒｔｉｎｇ）動作が設定された場合、あるいはＰＭＩ／ＲＩ報告動作が設定されなかった（Ｄｉｓａｂｌｉｎｇ）場合にのみ限定的に適用されるように設定することができる。あるいは、ＰＭＩ／ＲＩ報告動作の設定可否に関係なく適用されるように設定しても本発明が適用可能である。
【０２８０】
さらに、前述した本発明の実施例は、ＣＱＩ情報、ＰＭＩ情報、ＰＴＩ情報あるいはＲＩ情報報告動作ので少なくとも一つ（つまり、一部あるいは全部）の場合にのみ限定的に適用されるように設定することもできる。
【０２８１】
図１２は本発明の一実施例に適用可能な基地局及び端末を例示する。
【０２８２】
無線通信システムにリレーが含まれる場合、バックホールリンクにおける通信は基地局とリレーの間になされ、アクセスリンクにおける通信はリレーと端末の間になされる。したがって、図面に例示された基地局又は端末は状況に合わせてリレーに取り替えることができる。
【０２８３】
図１２を参照すれば、無線通信システムは、基地局ＢＳ、１１０及び端末ＵＥ、１２０を含む。基地局１１０は、プロセッサ１１２、メモリ１１４及び無線周波数（Ｒａｄｉｏ Ｆｒｅｑｕｅｎｃｙ、ＲＦ）ユニット１１６を含む。プロセッサ１１２は本発明で提案した手順及び／又は方法を具現するように構成されることができる。メモリ１１４はプロセッサ１１２に連結され、プロセッサ１１２の動作に関連した多様な情報を記憶する。ＲＦユニット１１６はプロセッサ１１２に連結され、無線信号を送信及び／又は受信する。端末１２０は、プロセッサ１２２、メモリ１２４及びＲＦユニット１２６を含む。プロセッサ１２２は本発明で提案した手順及び／又は方法を具現するように構成されることができる。メモリ１２４はプロセッサ１２２に連結され、プロセッサ１２２の動作に関連した多様な情報を記憶する。ＲＦユニット１２６はプロセッサ１２２に連結され、無線信号を送信及び／又は受信する。基地局１１０及び／又は端末１２０は単一アンテナ又は多重アンテナを有することができる。
【０２８４】
以上に説明した実施例は本発明の構成要素と特徴が所定形態に結合されたものである。それぞれの構成要素又は特徴は別途の明示的言及がない限り、選択的なものと考慮されなければならない。それぞれの構成要素又は特徴は他の構成要素や特徴と結合されない形態に実施されることができる。また、一部の構成要素及び／又は特徴を組み合わせて本発明の実施例を構成することも可能である。本発明の実施例で説明する動作の順序は変更されることができる。ある実施例の一部構成や特徴は他の実施例に含まれることができ、あるいは他の実施例の対応する構成又は特徴と取り替えられることができる。特許請求範囲で明示的引用関係がない請求項を組み合わせて実施例を構成するか、出願後の補正によって新たな請求項として含めることができるのは明らかである。
【０２８５】
本文書で基地局によって行われると説明された特定の動作は場合によってはその上位ノード（ｕｐｐｅｒ ｎｏｄｅ）によって行われることができる。すなわち、基地局を含む複数のネットワークノード（ｎｅｔｗｏｒｋ ｎｏｄｅｓ）からなるネットワークで端末との通信のために行われる多様な動作は基地局又は基地局以外の他のネットワークノードによって行われることができるのは明らかである。基地局は固定局（ｆｉｘｅｄ ｓｔａｔｉｏｎ）、ＮｏｄｅＢ、ｅＮｏｄｅＢ（ｅＮＢ）、アクセスポイント（ａｃｃｅｓｓ ｐｏｉｎｔ）などの用語に取り替えられることができる。
【０２８６】
本発明による実施例は、多様な手段、例えば、ハードウェア、ファームウエア（ｆｉｒｍｗａｒｅ）、ソフトウェア又はそれらの組合せなどによって具現されることができる。ハードウェアによる具現の場合、本発明の一実施例は一つ又はそれ以上のＡＳＩＣｓ（ａｐｐｌｉｃａｔｉｏｎ ｓｐｅｃｉｆｉｃ ｉｎｔｅｇｒａｔｅｄ ｃｉｒｃｕｉｔｓ）、ＤＳＰｓ（ｄｉｇｉｔａｌ ｓｉｇｎａｌ ｐｒｏｃｅｓｓｏｒｓ）、ＤＳＰＤｓ（ｄｉｇｉｔａｌ ｓｉｇｎａｌ ｐｒｏｃｅｓｓｉｎｇ ｄｅviｃｅｓ）、ＰＬＤｓ（ｐｒｏｇｒａｍｍａｂｌｅ ｌｏｇｉｃ ｄｅviｃｅｓ）、ＦＰＧＡｓ（ｆｉｅｌｄ ｐｒｏｇｒａｍｍａｂｌｅ ｇａｔｅ ａｒｒａｙｓ）、プロセッサ、コントローラ、マイクロコントローラ、マイクロプロセッサなどによって具現されることができる。
【０２８７】
ファームウエアやソフトウェアによる具現の場合、本発明の一実施例は以上に説明した機能又は動作を行うモジュール、手順、関数などの形態に具現されることができる。ソフトウェアコードはメモリユニットに記憶され、プロセッサによって駆動されることができる。
【０２８８】
メモリユニットはプロセッサの内部又は外部に位置し、既に知られている多様な手段によってプロセッサとデータをやり取りすることができる。
【０２８９】
本発明は本発明の特徴を逸脱しない範囲内で他の特定の形態に具体化されることができるのは当業者に明らかである。したがって、詳細な説明はすべての面で制限的に解釈されてはいけなく、例示的なものに考慮されなければならない。本発明の範囲は添付の請求範囲の合理的解釈によって決定されなければならなく、本発明の等価的範囲内でのすべての変更は本発明の範囲に含まれる。
【産業上の利用可能性】
【０２９０】
前述したような無線リソースの用途変更を支援する無線通信システムにおけるフォールバック動作を支援する方法及びそのための装置は３ＧＰＰ ＬＴＥシステムに適用される例を中心に説明したが、３ＧＰＰ ＬＴＥシステムの外にも多様な無線通信システムに適用することが可能である。
【図１】
0006629745.tif 000017
【図２】
0006629745.tif 000018
【図３】
0006629745.tif 000019
【図４】
0006629745.tif 000020
【図５】
0006629745.tif 000021
【図６】
0006629745.tif 000022
【図７】
0006629745.tif 000023
【図８】
0006629745.tif 000024
【図９Ａ】
0006629745.tif 000025
【図９Ｂ】
0006629745.tif 000026
【図９Ｃ】
0006629745.tif 000027
【図９Ｄ】
0006629745.tif 000028
【図１０】
0006629745.tif 000029
【図１１】
0006629745.tif 000030
【図１２】
0006629745.tif 000031